(57)【要約】      （修正有）【課題】免許不要無線周波数スペクトル帯域上でプリアンブルを送信するための技法を提供する。【解決手段】基地局は、免許不要無線周波数（ＲＦ）スペクトル帯域が通信のために利用可能であると決定し、基地局が免許不要ＲＦスペクトル帯域を介して情報を送信中であることを示す第１の送信インジケータを送信する。第１の送信インジケータは、第１の無線アクセス技術と関連する。基地局は、基地局が免許不要ＲＦスペクトル帯域を介して情報を送信中であることを示す第２の送信インジケータを送信する。第２の送信インジケータは、第１の無線アクセス技術と異なる第２の無線アクセス技術と関連する。【選択図】図５
2019092199.tif 000002
【特許請求の範囲】
【請求項１】
ワイヤレス通信のための方法であって、
デバイスによって、免許不要無線周波数スペクトル帯域が通信のために利用可能であると決定することと、
前記デバイスによっておよび前記免許不要無線周波数スペクトル帯域が前記通信のために利用可能であると決定したことに基づいて、前記デバイスが前記免許不要無線周波数スペクトル帯域を介して情報を送信中であることを示す第１の送信インジケータを送信すること、
ここにおいて、前記第１の送信インジケータは、第１の無線アクセス技術と関連される、と、
前記デバイスによっておよび前記免許不要免許不要無線周波数スペクトル帯域が前記通信のために利用可能であると決定したことに基づいて、前記デバイスが前記免許不要無線周波数スペクトル帯域を介して情報を送信中であることを示す第２の送信インジケータを送信すること、
ここにおいて、前記第２の送信インジケータは、前記第１の無線アクセス技術と異なる第２の無線アクセス技術と関連される、と、を備える、ワイヤレス通信のための方法。
【請求項２】
前記第１の送信インジケータを送信することは、
前記免許不要無線周波数スペクトル帯域を介して前記第１の送信インジケータを送信することを備え、
ここにおいて、前記第２の送信インジケータを送信することは、
前記免許不要無線周波数スペクトル帯域を介して前記第２の送信インジケータを送信することを備える、
請求項１に記載の方法。
【請求項３】
前記第１の送信インジケータは、Ｗｉ−Ｆｉプリアンブルを含み、
ここにおいて、前記第１の無線アクセス技術は、Ｗｉ−Ｆｉ無線アクセス技術を含み、
ここにおいて、前記第２の送信インジケータは、チャネル使用ビーコンシンボルを含み、および、
ここにおいて、前記第２の無線アクセス技術は、前記免許不要無線周波数スペクトル帯域においてデプロイされたロングタームエボリューション（ＬＴＥ）無線アクセス技術を含む、
請求項１に記載の方法。
【請求項４】
前記第１の送信インジケータを送信することおよび前記第２の送信インジケータを送信することは、
通信構造に前記Ｗｉ−Ｆｉプリアンブルおよび前記チャネル使用ビーコンシンボルを含めること、
前記Ｗｉ−Ｆｉプリアンブルは、前記通信構造の第１のフィールドに含められ、      前記チャネル使用ビーコンシンボルは、前記通信構造の第２のフィールドに含められ、
前記第１のフィールドは、前記第２のフィールドに先行する、と、
前記通信構造を使用して前記第１の送信インジケータおよび前記第２の送信インジケータを送信することと、を備える、
請求項３に記載の方法。
【請求項５】
前記第１の送信インジケータを送信することおよび前記第２の送信インジケータを送信することは、
通信構造に前記Ｗｉ−Ｆｉプリアンブルおよび前記チャネル使用ビーコンシンボルを含めること、
前記Ｗｉ−Ｆｉプリアンブルは、前記通信構造の第１のフィールドに含められ、      前記チャネル使用ビーコンシンボルは、前記通信構造の第２のフィールドに含められ、
前記第２のフィールドは、前記第１のフィールドに先行する、と、
前記通信構造を使用して前記第１の送信インジケータおよび前記第２の送信インジケータを送信することと、を備える、
請求項３に記載の方法。
【請求項６】
前記第１の送信インジケータを送信することおよび前記第２の送信インジケータを送信することは、
通信構造の同じフィールドに前記Ｗｉ−Ｆｉプリアンブルおよび前記チャネル使用ビーコンシンボルを含めることと、
前記通信構造を使用して前記第１の送信インジケータおよび前記第２の送信インジケータを送信することと、を備える、
請求項３に記載の方法。
【請求項７】
前記第１の送信インジケータは、前記第２の送信インジケータ内に埋め込まれる、
請求項１に記載の方法。
【請求項８】
前記免許不要無線周波数スペクトル帯域が前記通信のために利用可能であると決定することは、
クリアチャネルアセスメント（ＣＣＡ）プロシージャを実行することと、
前記ＣＣＡプロシージャを実行することに基づいて前記免許不要無線周波数スペクトル帯域が前記通信のために利用可能であると決定することと、を備える、
請求項１に記載の方法。
【請求項９】
前記デバイスは、基地局またはユーザ機器のうちの少なくとも１つを含む、
請求項１に記載の方法。
【請求項１０】
前記第１の送信インジケータは、Ｗｉ−Ｆｉプリアンブルを含み、
ここにおいて、前記Ｗｉ−Ｆｉプリアンブルは、
前記デバイスを特定するソース識別子、または、
前記デバイスが前記前記免許不要無線周波数スペクトル帯域においてデプロイされたロングタームエボリューション（ＬＴＥ）無線アクセス技術を使用して信号を送信することが可能であることを示す無線アクセス技術インジケータのうちの少なくとも１つを含む、
請求項１に記載の方法。
【請求項１１】
前記デバイスの通信範囲内のＷｉ−Ｆｉアクセスポイントと関連されたＷｉ−Ｆｉプロトコルを決定することと、
前記Ｗｉ−Ｆｉプロトコルに基づいて前記第１の送信インジケータを生成することと、をさらに備える、
請求項１に記載の方法。
【請求項１２】
前記第１の送信インジケータは、Ｗｉ−Ｆｉプリアンブルを含み、
ここにおいて、前記Ｗｉ−Ｆｉプリアンブルは、前記通信の継続時間を示す継続時間インジケータを含み、および、
ここにおいて、前記第２の送信インジケータは、前記第１の送信インジケータが送信されたことの指示を含む、
請求項１に記載の方法。
【請求項１３】
ワイヤレス通信のための方法であって、
デバイスによって、免許不要無線周波数スペクトル帯域での通信を検出すること、
ここにおいて、前記通信は、第１の無線アクセス技術と関連された第１の送信インジケータを含み、
ここにおいて、前記デバイスは、前記免許不要無線周波数スペクトル帯域を介して通信するために第２の無線アクセス技術を使用する、と、
前記デバイスによっておよび前記第１の送信インジケータに基づいて、前記免許不要無線周波数スペクトル帯域で前記通信を送信したソースデバイスのソースデバイスタイプを決定することと、
前記ソースデバイスタイプに基づいて、前記デバイスによって、前記免許不要無線周波数スペクトル帯域へのアクセスのために選択的に競争するかまたは、前記デバイスによって、前記免許不要無線周波数スペクトル帯域を介して選択的に送信することと、を備える、ワイヤレス通信のための方法。
【請求項１４】
前記ソースデバイスと関連された第１のネットワークオペレータは、前記デバイスと関連された第２のネットワークオペレータと異なるネットワークオペレータであると決定することをさらに備え、
ここにおいて、前記ソースデバイスタイプに基づいて前記前記免許不要無線周波数スペクトル帯域へのアクセスのために選択的に競争することまたは前記免許不要無線周波数スペクトル帯域を介して選択的に送信することは、
前記第１のネットワークオペレータが前記第２のネットワークオペレータと前記異なるネットワークオペレータであるとの前記決定に少なくとも部分的に基づいて前記免許不要無線周波数スペクトル帯域へのアクセスのために競争するかまたは前記免許不要無線周波数スペクトル帯域を介して送信するためにある量の時間の間待機することを備える、
請求項１３に記載の方法。
【請求項１５】
前記ソースデバイスと関連された第１のネットワークオペレータは、前記デバイスと関連された第２のネットワークオペレータと同じネットワークオペレータであると決定することをさらに備え、
ここにおいて、前記ソースデバイスタイプに基づいて前記免許不要無線周波数スペクトル帯域へのアクセスのために選択的に競争することまたは前記免許不要無線周波数スペクトル帯域を介して選択的に送信することは、
前記第１のネットワークオペレータが前記第２のネットワークオペレータと前記同じネットワークオペレータであるとの前記決定に少なくとも部分的に基づいて、前記免許不要無線周波数スペクトル帯域へのアクセスのために競争するかまたは前記免許不要無線周波数スペクトル帯域を介して送信するためにある量の時間の間待機することなしに、前記免許不要無線周波数スペクトル帯域へのアクセスのために競争することまたは前記免許不要無線周波数スペクトル帯域を介して送信することを備える、
請求項１３に記載の方法。
【請求項１６】
前記デバイスは、基地局またはユーザ機器のうちの少なくとも１つを含む、
請求項１３に記載の方法。
【請求項１７】
前記免許不要無線周波数スペクトル帯域へのアクセスのために選択的に競争することまたは前記免許不要無線周波数スペクトル帯域を介して選択的に送信することは、
前記ソースデバイスがＷｉ−Ｆｉアクセスポイントであることを前記ソースデバイスタイプが示すときにある量の時間の間前記免許不要無線周波数スペクトル帯域へのアクセスのために競争するために待機することまたは前記免許不要無線周波数スペクトル帯域を介して送信するために待機することを備える、
請求項１３に記載の方法。
【請求項１８】
前記第１の送信インジケータに含められた継続時間インジケータを検出することをさらに備え、
前記継続時間インジケータは、前記免許不要無線周波数スペクトル帯域での前記通信のある量の時間を示し、
ここにおいて、前記免許不要無線周波数スペクトル帯域へのアクセスのために選択的に競争することまたは前記免許不要無線周波数スペクトル帯域を介して選択的に送信することは、
前記継続時間インジケータによって示される前記量の時間の間前記免許不要無線周波数スペクトル帯域へのアクセスのために競争するために待機することまたは前記免許不要無線周波数スペクトル帯域を介して送信するために待機することを備える、
請求項１３に記載の方法。
【請求項１９】
前記免許不要無線周波数スペクトル帯域へのアクセスのために選択的に競争することまたは前記免許不要無線周波数スペクトル帯域を介して選択的に送信することは、
前記ソースデバイスが前記免許不要無線周波数スペクトル帯域においてデプロイされたロングタームエボリューション（ＬＴＥ）無線アクセス技術を使用するデバイスのタイプであることを前記ソースデバイスタイプが示すときに前記免許不要無線周波数スペクトル帯域へのアクセスのために競争することまたは前記免許不要無線周波数スペクトル帯域を介して送信することを備える、
請求項１３に記載の方法。
【請求項２０】
前記第２の無線アクセス技術と関連された第２の送信インジケータを検出することをさらに備え、
ここにおいて、前記ソースデバイスタイプを決定することは、
前記ソースデバイスが前記免許不要無線周波数スペクトル帯域においてデプロイされたロングタームエボリューション（ＬＴＥ）無線アクセス技術を使用するデバイスのタイプであることを前記ソースデバイスタイプが示す
と決定することを備える、
請求項１３に記載の方法。
【請求項２１】
前記第２の送信インジケータは、前記第１の送信インジケータが前記ソースデバイスと関連されるとの指示を含み、
ここにおいて、前記ソースデバイスタイプを決定することは、
前記第１の送信インジケータが前記ソースデバイスと関連されるとの前記指示に基づいて前記ソースデバイスタイプは前記免許不要無線周波数スペクトル帯域においてデプロイされた前記ＬＴＥ無線アクセス技術を使用するデバイスのタイプであると決定することを備える、
請求項２０に記載の方法。
【請求項２２】
前記第２の送信インジケータは、チャネル使用ビーコンシンボルを含み、
ここにおいて、前記第２の無線アクセス技術は、前記免許不要無線周波数スペクトル帯域においてデプロイされた前記ＬＴＥ無線アクセス技術である、
請求項２０に記載の方法。
【請求項２３】
前記第１の送信インジケータを検出して以降に、前記第２の無線アクセス技術と関連された第２の送信インジケータを検出することなしにある量の時間が経過したと決定することをさらに備え、および、
ここにおいて、前記ソースデバイスタイプを決定することは、
前記第２の送信インジケータを検出することなしに前記量の時間が経過したと決定したことに基づいて前記ソースデバイスがＷｉ−Ｆｉアクセスポイントであることを前記ソースデバイスタイプが示すと決定することを備える、
請求項１３に記載の方法。
【請求項２４】
前記ソースデバイスタイプが前記免許不要無線周波数スペクトル帯域においてデプロイされたロングタームエボリューション（ＬＴＥ）無線アクセス技術を使用するデバイスのタイプであることを前記第１の送信インジケータと関連された第２の送信インジケータが示すかどうかを決定することをさらに備え、および、
ここにおいて、前記ソースデバイスタイプを決定することは、
前記ソースデバイスタイプが前記免許不要無線周波数スペクトル帯域においてデプロイされた前記ＬＴＥ無線アクセス技術を使用するデバイスの前記タイプであることを前記第２の送信インジケータが示すかどうかを決定することに基づいて前記ソースデバイスタイプが前記免許不要無線周波数スペクトル帯域においてデプロイされた前記ＬＴＥ無線アクセス技術を使用するデバイスの前記タイプであると決定することを備える、
請求項１３に記載の方法。
【請求項２５】
前記第１の送信インジケータは、Ｗｉ−Ｆｉプリアンブルを含む、
請求項１３に記載の方法。
【請求項２６】
前記免許不要無線周波数スペクトル帯域へのアクセスのために選択的に競争することまたは前記免許不要無線周波数スペクトル帯域を介して選択的に送信することは、
前記ソースデバイスタイプが第１のソースデバイスタイプであるときに前記免許不要無線周波数スペクトル帯域へのアクセスのために競争するためにクリアチャネルアセスメント（ＣＣＡ）プロシージャを実行すること、または、
前記ソースデバイスタイプが第２のソースデバイスタイプであるときに前記ＣＣＡプロシージャが実行されるのを防止することまたは前記ＣＣＡプロシージャを実行するために待機すること、を備える、
請求項１３に記載の方法。
【請求項２７】
前記免許不要無線周波数スペクトル帯域へのアクセスのために選択的に競争することまたは前記免許不要無線周波数スペクトル帯域を介して選択的に送信することは、
前記ソースデバイスタイプが第１のソースデバイスタイプであるときに前記免許不要無線周波数スペクトル帯域を介して送信すること、または、
前記ソースデバイスタイプが第２のソースデバイスタイプであるときに前記免許不要無線周波数スペクトル帯域を介しての送信を防止することまたは前記免許不要無線周波数スペクトル帯域を介して送信するために待機すること、を備える、
請求項１３に記載の方法。
【請求項２８】
ワイヤレス通信のための装置であって、
免許不要無線周波数スペクトル帯域が通信のために利用可能であると決定するための手段と、
前記免許不要無線周波数スペクトル帯域が前記通信のために利用可能であると決定したことに基づいて、前記装置が前記免許不要無線周波数スペクトル帯域を介して情報を送信中であることを示す第１の送信インジケータを送信するための手段、
ここにおいて、前記第１の送信インジケータは、第１の無線アクセス技術と関連される、と、
前記免許不要無線周波数スペクトル帯域が前記通信のために利用可能であると決定したことに基づいて、前記装置が前記免許不要無線周波数スペクトル帯域を介して情報を送信中であることを示す第２の送信インジケータを送信するための手段、
ここにおいて、前記第２の送信インジケータは、前記第１の無線アクセス技術と異なる第２の無線アクセス技術と関連される、と、を備える、ワイヤレス通信のための装置。
【請求項２９】
ワイヤレス通信のための装置であって、
免許不要無線周波数スペクトル帯域での通信を検出するための手段、
ここにおいて、前記通信は、第１の無線アクセス技術と関連された第１の送信インジケータを含み、
ここにおいて、前記装置は、前記免許不要無線周波数スペクトル帯域を介して通信するために第２の無線アクセス技術を使用する、と、
前記第１の送信インジケータに基づいて、前記免許不要無線周波数スペクトル帯域で前記通信を送信したソースデバイスのソースデバイスタイプを決定するための手段と、
前記ソースデバイスタイプに基づいて前記免許不要無線周波数スペクトル帯域へのアクセスのために選択的に競争するためのまたは前記免許不要無線周波数スペクトル帯域を介して選択的に送信するための手段と、を備える、ワイヤレス通信のための装置。
【請求項３０】
前記ソースデバイスと関連された第１のネットワークオペレータが前記装置と関連された第２のネットワークオペレータと同じネットワークオペレータであるどうかを決定するための手段をさらに備え、
ここにおいて、前記ソースデバイスタイプに基づいて前記免許不要無線周波数スペクトル帯域へのアクセスのために選択的に競争するまたは前記免許不要無線周波数スペクトル帯域を介して選択的に送信するための前記手段は、
前記第１のネットワークオペレータが前記第２のネットワークオペレータと前記同じネットワークオペレータでないとの決定に少なくとも部分的に基づいて前記免許不要無線周波数スペクトル帯域へのアクセスのためにまたは前記免許不要無線周波数スペクトル帯域を介して送信するためにある量の時間の間待機するための手段、または、
前記第１のネットワークオペレータが前記第２のネットワークオペレータと前記同じネットワークオペレータであるとの前記決定に少なくとも部分的に基づいて、前記量の時間の間待機することなしに、前記免許不要無線周波数スペクトル帯域へのアクセスのために競争するためのまたは前記免許不要無線周波数スペクトル帯域を介して送信するための手段、を備える、
請求項２９に記載の装置。
【発明の詳細な説明】
【相互参照】
【０００１】
[0001]本特許出願は、それらの各々が本明細書の譲受人に対して譲渡され、２０１５年９月２５日に出願され、「Techniques for Transmitting Preambles Over an Unlicensed Radio Frequency Spectrum Band」と題し、Ｄａｍｎｊａｎｏｖｉｃ、等による米国特許出願第１４／８６６，４２８号、および、２０１４年１１月１８日に出願され、「Techniques for Transmitting Preambles Over an Unlicensed Radio Frequency Spectrum Band」と題し、Ｄａｍｎｊａｎｏｖｉｃ、等による米国仮特許出願第６２，０８１，４８０号に対する優先権を主張する。
【技術分野】
【０００２】
[0002]本開示は、例えば、ワイヤレス通信システムに関し、より具体的には、免許不要無線周波数スペクトル帯域上でプリアンブルを送信するための技法に関する。
【背景技術】
【０００３】
[0003]無線デバイスは、Ｗｉ−Ｆｉ無線アクセス技術、ロングタームエボリューション無線アクセス技術、および同様の物のような１つまたは複数の無線アクセス技術を使用して免許不要無線周波数（ＲＦ）上で通信し得る。免許不要ＲＦスペクトル帯域は、規制当局のＲＦスペクトル帯域を介して通信するための規則に準拠する任意のデバイスによる共用のために開放されているＲＦスペクトル帯域を意味し得る。ほとんどの要免許ＲＦスペクトル帯域の使用と対照的に、免許不要ＲＦスペクトル帯域のユーザは、典型的には、他のユーザのデバイスからの無線干渉に対する規制上の保護を有していない。換言すると、免許不要ＲＦスペクトル帯域を使用するデバイスは、典型的には、免許不要ＲＦスペクトル帯域を使用する他のデバイスによって引き起こされたあらゆる無線干渉を受け入れなければならない。
【発明の概要】
【０００４】
[0004]デバイスは、免許不要無線周波数（ＲＦ）スペクトル帯域が通信のために利用可能であると決定し得る。デバイスは、デバイスが免許不要ＲＦスペクトル帯域を介して情報を送信中であることを示す第１の送信インジケータを送信し得る。第１の送信インジケータは、第１の無線アクセス技術と関連させ得る。デバイスは、デバイスが免許不要ＲＦスペクトル帯域を介して情報を送信中であることを示す第２の送信インジケータを送信し得る。第２の送信インジケータは、第１の無線アクセス技術と異なる第２の無線アクセス技術と関連させ得る。
【０００５】
[0005]一例において、方法は、デバイスによって、免許不要無線周波数スペクトル帯域が通信のために利用可能であると決定することを含み得る。方法は、デバイスによっておよび免許不要無線周波数スペクトル帯域が通信のために利用可能であると決定したことに基づいて、デバイスが免許不要無線周波数スペクトル帯域を介して情報を送信中であることを示す第１の送信インジケータを送信することを含み得る。第１の送信インジケータは、第１の無線アクセス技術と関連させ得る。方法は、デバイスによっておよび免許不要無線周波数スペクトル帯域が通信のために利用可能であると決定したことに基づいて、デバイスが免許不要無線周波数スペクトル帯域を介して情報を送信中であることを示す第２の送信インジケータを送信することを含み得る。第２の送信インジケータは、第１の無線アクセス技術と異なる第２の無線アクセス技術と関連させ得る。
【０００６】
[0006]方法の第２の例において、第１の送信インジケータを送信することは、免許不要無線周波数スペクトル帯域を介して第１の送信インジケータを送信することを含み得、および、第２の送信インジケータを送信することは、免許不要無線周波数スペクトル帯域を介して第２の送信インジケータを送信することを含み得る。幾つかの例において、第１の送信インジケータは、Ｗｉ−Ｆｉプリアンブルを含み得、第１の無線アクセス技術は、Ｗｉ−Ｆｉ無線アクセス技術を含み得る。第２の送信インジケータは、チャネル使用ビーコン信号を含み得、第２の無線アクセス技術は、免許不要無線周波数スペクトル帯域においてデプロイ(deploy)されたロングタームエボリューション（ＬＴＥ（登録商標））無線アクセス技術を含み得る。方法の幾つかの例において、第１の送信インジケータを送信することおよび第２の送信インジケータを送信することは、通信構造内にＷｉ−Ｆｉプリアンブルおよびチャネル使用ビーコンシンボルを含めることを備え得、ここで、Ｗｉ−Ｆｉプリアンブルは、通信構造の第１のフィールドに含められ得、チャネル使用ビーコンシンボルは、通信構造の第２のフィールドに含められ得る。幾つかの例において、第１のフィールドは、第２のフィールドに先行し得る。幾つかの例において、第１の送信インジケータおよび第２の送信インジケータを送信することは、通信構造を使用することを含み得る。
【０００７】
[0007]方法の幾つかの例において、第１の送信インジケータを送信することおよび第２の送信インジケータを送信することは、通信構造内にＷｉ−Ｆｉプリアンブルおよびチャネル使用ビーコンシンボルを含めることを備え得、ここで、Ｗｉ−Ｆｉプリアンブルは、通信構造の第１のフィールドに含められ得、チャネル使用ビーコンシンボルは、通信構造の第２のフィールドに含められ得る。幾つかの例において、第２のフィールドは、第１のフィールドに先行し得る。幾つかの例において、第１の送信インジケータおよび第２の送信インジケータを送信することは、通信構造を使用し得る。方法の幾つかの例において、第１の送信インジケータを送信することおよび第２の送信インジケータを送信することは、通信構造の同じフィールドにＷｉ−Ｆｉプリアンブルおよびチャネル使用ビーコンシンボルを含めることと、通信構造を使用して第１の送信インジケータおよび第２の送信インジケータを送信することと、を備え得る。幾つかの例において、第１の送信インジケータは、第２の送信インジケータ内に埋め込まれ得る。
【０００８】
[0008]幾つかの例において、免許不要無線周波数スペクトル帯域が通信のために利用可能であると決定することは、クリアチャネルアセスメント（ＣＣＡ）プロシージャを実行することと、ＣＣＡプロシージャを実行したことに基づいて免許不要無線周波数スペクトル帯域が通信のために利用可能であると決定することと、を含む。幾つかの例において、デバイスは、基地局またはユーザ機器のうちの少なくとも１つを含む。方法の幾つかの例において、第１の送信インジケータは、Ｗｉ−Ｆｉプリアンブルを含み得、ここで、Ｗｉ−Ｆｉプリアンブルは、デバイスを特定するソース識別子、または、デバイスが免許不要無線周波数スペクトル帯域においてデプロイされたロングタームエボリューション（ＬＴＥ）無線アクセス技術を使用して信号を送信することが可能であることを示す無線アクセス技術インジケータのうちの少なくとも１つを含む。
【０００９】
[0009]幾つかの例において、方法は、デバイスの通信範囲内のＷｉ−Ｆｉアクセスポイントと関連されたＷｉ−Ｆｉプロトコルを決定することと、Ｗｉ−Ｆｉプロトコルに基づいて第１の送信インジケータを生成することと、をさらに含み得る。幾つかの例において、第１の送信インジケータは、Ｗｉ−Ｆｉプリアンブルを含み得、ここで、Ｗｉ−Ｆｉプリアンブルは、通信の継続時間を示す継続時間インジケータを含み得、第２の送信インジケータは、第１の送信インジケータが送信されことの指示を含み得る。
【００１０】
[0010]一例において、方法は、デバイスによって、免許不要無線周波数スペクトル帯域での通信を検出することを含み得る。通信は、第１の無線アクセス技術と関連された第１の送信インジケータを含み得る。デバイスは、免許不要無線周波数スペクトル帯域を介して通信するために第２の無線アクセス技術を使用し得る。方法は、デバイスによっておよび第１の送信インジケータに基づいて、免許不要無線周波数スペクトル帯域で通信を送信したソースデバイスのソースデバイスタイプを決定することを含み得る。方法は、ソースデバイスタイプに基づいて、デバイスによって、免許不要無線周波数スペクトル帯域へのアクセスのために選択的に競争すること、または、デバイスによって、免許不要無線周波数スペクトル帯域を介して選択的に送信することを含み得る。
【００１１】
[0011]幾つかの例において、方法は、ソースデバイスと関連された第１のネットワークオペレータがデバイスと関連された第２のネットワークオペレータと異なるネットワークオペレータであると決定することを含み得る。ソースタイプに基づいて免許不要無線周波数スペクトル帯域へのアクセスのために選択的に競争することまたは免許不要無線周波数スペクトル帯域を介して選択的に送信することは、第１のネットワークオペレータが第２のネットワークオペレータと異なるネットワークオペレータであるとの決定に少なくとも部分的に基づいて免許不要無線周波数スペクトル帯域へのアクセスのために競争するためにまたは免許不要無線周波数スペクトル帯域を介して送信するためにある量の時間の間待機することを含み得る。幾つかの例において、方法は、ソースデバイスと関連された第１のネットワークオペレータがデバイスと関連された第２のネットワークオペレータと同じネットワークオペレータであると決定することを含み得る。ソースタイプに基づいて免許不要無線周波数スペクトル帯域へのアクセスのために選択的に競争することまたは免許不要無線周波数スペクトル帯域を介して選択的に送信することは、第１のネットワークオペレータが第２のネットワークオペレータと同じネットワークオペレータであるとの決定に少なくとも部分的に基づいて、免許不要無線周波数スペクトル帯域へのアクセスのために競争するためにまたは免許不要無線周波数スペクトル帯域を介して送信するためにある量の時間の間待機することなしに、免許不要無線周波数スペクトル帯域へのアクセスのために競争することまたは免許不要無線周波数スペクトル帯域を介して送信することを含み得る。
【００１２】
[0012]方法の幾つかの例において、デバイスは、基地局またはユーザ機器のうちの少なくとも１つを含み得る。免許不要無線周波数スペクトル帯域へのアクセスのために選択的に競争することまたは免許不要無線周波数スペクトル帯域を介して選択的に送信することは、ソースデバイスがＷｉ−Ｆｉアクセスポイントであることをソースデバイスタイプが示すときにある量の時間の間免許不要無線周波数スペクトル帯域へのアクセスのために競争するために待機することまたは免許不要無線周波数スペクトル帯域を介して送信するために待機することを含み得る。幾つかの例において、方法は、第１の送信インジケータに含められた継続時間インジケータを検出することを含み得、継続時間インジケータは、免許不要無線周波数スペクトル帯域での通信の時間の量を示す。免許不要無線周波数スペクトル帯域へのアクセスのために選択的に競争することまたは免許不要無線周波数スペクトル帯域を介して選択的に送信することは、継続時間インジケータによって示された量の時間の間、免許不要無線周波数スペクトル帯域へのアクセスのために競争するために待機することまたは免許不要無線周波数スペクトル帯域を介して送信するために待機することを含み得る。幾つかの例において、免許不要無線周波数スペクトル帯域へのアクセスのために選択的に競争することまたは免許不要無線周波数スペクトル帯域を介して選択的に送信することは、ソースデバイスが免許不要無線周波数スペクトル帯域においてデプロイされたＬＴＥ無線アクセス技術を使用するデバイスのタイプであることをソースデバイスタイプが示すときに免許不要無線周波数スペクトル帯域へのアクセスのために競争することまたは免許不要無線周波数スペクトル帯域を介して送信することを含み得る。
【００１３】
[0013]幾つかの例において、方法は、第２の無線アクセス技術と関連された第２の送信インジケータを検出することを含み得、ソースデバイスタイプを決定することは、ソースデバイスが免許不要無線周波数スペクトル帯域においてデプロイされたＬＴＥ無線アクセス技術を使用するデバイスのタイプであることをソースデバイスタイプが示すと決定することを含み得る。第２の送信インジケータは、第１の送信インジケータがソースデバイスと関連されるという指示を含み得る。幾つかの例において、ソースデバイスタイプを決定することは、第１の送信インジケータがソースデバイスと関連されるという指示に基づいて、ソースデバイスタイプが免許不要無線周波数スペクトル帯域においてデプロイされたＬＴＥ無線アクセス技術を使用するデバイスのタイプであると決定することを含み得る。第２の送信インジケータは、チャネル使用ビーコンシンボルを含み得る。幾つかの例において、第２の無線アクセス技術は、免許不要無線周波数スペクトル帯域においてデプロイされたＬＴＥ無線アクセス技術である。
【００１４】
[0014]幾つかの例において、方法は、第１の送信インジケータを検出して以降に、第２の無線アクセス技術と関連された第２の送信インジケータを検出することなしにある量の時間が経過したと決定することを含み得、ここで、ソースデバイスタイプを決定することは、第２の送信インジケータを検出することなしに時間の量が経過したとの決定に基づいてソースデバイスがＷｉ−Ｆｉアクセスポイントであることをソースデバイスタイプが示すと決定することを含み得る。幾つかの例において、方法は、ソースデバイスタイプが免許不要無線周波数スペクトル帯域においてデプロイされたロングタームエボリューション（ＬＴＥ）無線アクセス技術を使用するデバイスのタイプであることを第１の送信インジケータと関連された第２の送信インジケータが示すかどうかを決定することを含み得、ソースデバイスタイプを決定することは、ソースデバイスタイプが免許不要無線周波数スペクトル帯域においてデプロイされたＬＴＥ無線アクセス技術を使用するデバイスのタイプであることを第２の送信インジケータが示すかどうかを決定することに基づいて、ソースデバイスタイプが免許不要無線周波数スペクトル帯域においてデプロイされたＬＴＥ無線アクセス技術を使用するデバイスのタイプであると決定することを含み得る。幾つかの例において、第１の送信インジケータは、Ｗｉ−Ｆｉプリアンブルを含み得る。
【００１５】
[0015]方法の幾つかの例において、免許不要無線周波数スペクトル帯域へのアクセスのために選択的に競争することまたは免許不要無線周波数スペクトル帯域を介して選択的に送信することは、ソースデバイスタイプが第１のソースデバイスタイプであるときには免許不要無線周波数スペクトル帯域へのアクセスのために競争するためにＣＣＡプロシージャを実行すること、または、ソースデバイスタイプが第２のソースデバイスタイプであるときにはＣＣＡプロシージャが実行されるのを防止するかまたはＣＣＡプロシージャを実行するために待機することを含み得る。免許不要無線周波数スペクトル帯域へのアクセスのために選択的に競争することまたは免許不要無線周波数スペクトル帯域を介して選択的に送信することは、ソースデバイスタイプが第１のソースデバイスタイプであるときには免許不要無線周波数スペクトル帯域を介して送信すること、または、ソースデバイスタイプが第２のソースデバイスタイプであるときには免許不要無線周波数スペクトル帯域を介して送信するのを防止するかまたは免許不要無線周波数スペクトル帯域を介して送信するために待機することを含み得る。
【００１６】
[0016]幾つかの例において、装置が説明される。装置は、免許不要無線周波数スペクトル帯域が通信のために利用可能であると決定するための手段を含み得る。装置はまた、免許不要無線周波数スペクトル帯域が通信のために利用可能であると決定したことに基づいて、装置が免許不要無線周波数スペクトル帯域を介して情報を送信中であることを示す第１の送信インジケータを送信するための手段を含み得る。第１の送信インジケータは、第１の無線アクセス技術と関連させ得る。装置は、免許不要無線周波数スペクトル帯域が通信のために利用可能であると決定したことに基づいて、装置が免許不要無線周波数スペクトル帯域を介して情報を送信中であることを示す第２の送信インジケータを送信するための手段を含み得る。第２の送信インジケータは、第１の無線アクセス技術と異なる第２の無線アクセス技術と関連させ得る。
【００１７】
[0017]幾つかの例において、さらなる装置が説明される。装置は、免許不要免許不要無線周波数スペクトル帯域での通信を検出するための手段を含み得る。通信は、第１の無線アクセス技術と関連された第１の送信インジケータを含み得る。装置は、免許不要無線周波数スペクトル帯域を介して通信するために第２の無線アクセス技術を使用し得る。装置はまた、第１の送信インジケータに基づいて、免許不要無線周波数スペクトル帯域で通信を送信したソース装置のソース装置タイプを決定するための手段を含み得る。装置は、ソース装置タイプに基づいて免許不要無線周波数スペクトル帯域へのアクセスのために選択的に競争するためのまたは免許不要無線周波数スペクトル帯域を介して選択的に送信するための手段を含み得る。
【００１８】
[0018]幾つかの例において、装置は、ソース装置と関連された第１のネットワークオペレータが装置と関連された第２のネットワークオペレータと同じネットワークオペレータであるかどうかを決定するための手段を含み得、ここで、ソースタイプに基づいて免許不要無線周波数スペクトル帯域へのアクセスのために選択的に競争するためのまたは免許不要無線周波数スペクトル帯域を介して選択的に送信するための手段は、第１のネットワークオペレータが第２のネットワークオペレータと同じネットワークオペレータでないとの決定に少なくとも部分的に基づいて免許不要無線周波数スペクトル帯域へのアクセスのために競争するためにまたは免許不要無線周波数スペクトル帯域を介して送信するためにある量の時間の間待機するための手段、または、第１のネットワークオペレータが第２のネットワークオペレータと同じネットワークオペレータであるとの決定に少なくとも部分的に基づいて、ある量の時間の間待機することなしに、免許不要無線周波数スペクトル帯域へのアクセスのために競争するためのまたは免許不要無線周波数スペクトル帯域を介して送信するための手段を含み得る。
【００１９】
[0019]上記は、後続する詳細な説明がより良く理解され得るようにするために本開示による例の特徴および技術的利点をかなりおおまかに概説したものである。追加の特徴および利点が以降において説明される。開示される概念および具体例は、本開示の同じ目的を実行するために変更するためのまたは他の構造を設計するための基礎として容易に利用され得る。そのような同等の構造は、添付される請求項の範囲から逸脱しない。本明細書において開示される概念の特徴、それらの構成および動作方法の両方は、関連する利点とともに、添付される図に関連させて検討されたときに以下の説明からより良く理解されるであろう。それらの図の各々は、例示および説明の目的のために提供され、請求項の限界の画定として提供されるものではない。
【図面の簡単な説明】
【００２０】
[0020]以下の図面の参照によって本開示の性質および利点のさらなる理解が実現され得る。添付される図において、同様のコンポーネントまたは特徴は、同じ参照ラベルを有し得る。さらに、同じタイプの様々なコンポーネントは、ダッシュおよび同様のコンポーネントを区別する第２のラベルが参照ラベルに後続することによって区別され得る。第１の参照ラベルのみが明細書において使用される場合は、説明は、第２の参照ラベルにかかわらず同じ第１の参照ラベルを有する同様のコンポーネントのうちの任意の１つに適用可能である。
【図１】[0021]  図１は、本開示の様々な態様による、ワイヤレス通信システム例のイラストである。
【図２】[0022]  図２は、本開示の様々な態様による、免許不要無線周波数（ＲＦ）スペクトル帯域を使用した異なるシナリオ下でロングタームエボリューション（ＬＴＥ）および／またはＬＴＥ−Ａｄａｎｃｅｄ（ＬＴＥ−Ａ）がデプロイされ得るワイヤレス通信システム例のイラストである。
【図３】[0023]  図３は、本開示の様々な態様による、図１および図２の１つまたは複数のデバイスのコンポーネント例のイラストである。
【図４Ａ】[0024]  図４Ａは、本開示の様々な態様による、一例の概観のイラストである。
【図４Ｂ】[0024]  図４Ｂは、本開示の様々な態様による、一例の概観のイラストである。
【図５】[0025]  図５は、本開示の様々な態様による、免許不要ＲＦスペクトル帯域を介して第１の送信インジケータおよび第２の送信インジケータを送信するためのプロセス例のフロー図である。
【図６Ａ】[0026]  図６Ａは、本開示の様々な態様による、図５において示されるプロセス例に関連する例のイラストである。
【図６Ｂ】[0026]  図６Ｂは、本開示の様々な態様による、図５において示されるプロセス例に関連する例のイラストである。
【図７Ａ】[0027]  図７Ａは、本開示の様々な態様による、図５において示されるプロセス例に関連する別の例のイラストである。
【図７Ｂ】[0027]  図７Ｂは、本開示の様々な態様による、図５において示されるプロセス例に関連する別の例のイラストである。
【図８】[0028]  図８は、本開示の様々な態様による、検出された送信インジケータに基づいて免許不要ＲＦスペクトル帯域へのアクセスのために選択的に競争するためのおよび／または免許不要ＲＦスペクトル帯域を介して選択的に送信するためのプロセス例のフロー図である。
【図９Ａ】[0029]  図９Ａは、本開示の様々な態様による、図８において示されるプロセス例に関連する例のイラストである。
【図９Ｂ】[0029]  図９Ｂは、本開示の様々な態様による、図８において示されるプロセス例に関連する例のイラストである。
【図１０Ａ】[0030]  図１０Ａは、本開示の様々な態様による、図８において示されるプロセス例に関連する別の例のイラストである。
【図１０Ｂ】[0030]  図１０Ｂは、本開示の様々な態様による、図８において示されるプロセス例に関連する別の例のイラストである。
【発明を実施するための形態】
【００２１】
[0031]免許不要無線周波数（ＲＦ）スペクトル帯域がワイヤレス通信システムを通じての通信の少なくとも一部分のために使用される技法が説明される。幾つかの例において、免許不要ＲＦスペクトル帯域は、ロングタームエボリューション（ＬＴＥ）通信に関してはセルラーネットワークの基地局およびユーザ機器（ＵＥ）によって、および、Ｗｉ−Ｆｉ通信に関してはＷｉ−ＦｉネットワークのＷｉ−ＦｉアクセスポイントおよびＷｉ−Ｆｉ局によって使用され得る。免許不要ＲＦスペクトル帯域は、要免許ＲＦスペクトル帯域と組み合わせてまたは要免許ＲＦスペクトル帯域と無関係にセルラーネットワークによって使用され得る。幾つかの例において、免許不要ＲＦスペクトル帯域は、ＲＦスペクトル帯域が、少なくとも部分的には、Ｗｉ−Ｆｉの使用のような免許不要な使用のために利用可能なであるため、デバイスがアクセスのために競争する必要があるＲＦスペクトル帯域であり得る。
【００２２】
[0032]免許不要ＲＦスペクトル帯域へのアクセスを獲得して免許不要ＲＦスペクトル帯域上で通信する前に、基地局またはＵＥは、免許不要ＲＦスペクトル帯域へのアクセスのために競争するためにリッスン・ビフォア・トーク（ＬＢＴ：listen before talk）プロシージャを実行し得る。ＬＢＴプロシージャは、免許不要ＲＦスペクトル帯域のチャネルが利用可能であるかどうかを決定するためにクリアチャネルアセスメント（ＣＣＡ）プロシージャを実行することを含み得る。（例えば、別の装置が免許不要ＲＦスペクトル帯域のチャネルを既に使用中であるため）免許不要ＲＦスペクトル帯域のチャネルが利用可能でないと決定されたときに、ＣＣＡプロシージャは、のちの時間に再度チャネルに関して実行され得る。基地局またはＵＥがＷｉ−Ｆｉアクティビティに起因して免許不要ＲＦスペクトル帯域のチャネルへのアクセスが欠乏し得る環境では、基地局またはＵＥが免許不要ＲＦスペクトル帯域のチャネルへのアクセスのために成功裏に競争する可能性を高めるために拡張ＣＣＡプロシージャが使用され得る。拡張ＣＣＡプロシージャは、拡張ＣＣＡカウンタによるランダムな数のＣＣＡプロシージャ（１乃至ｑ）の実行を含む。単一のＣＣＡプロシージャまたは複数のＣＣＡプロシージャのいずれが実行されるかにかかわらず、各ＣＣＡプロシージャは、免許不要ＲＦスペクトル帯域のチャネル上のエネルギーレベルを検出することと、エネルギーレベルがしきい値を下回るかどうかを決定することと、を含み得る。エネルギーレベルがしきい値を下回るときは、ＣＣＡプロシージャは成功であり、免許不要ＲＦスペクトル帯域のチャネルにアクセスするための競争（コンテンション）が成功であり得る。エネルギーレベルがしきい値を上回るときは、ＣＣＡプロシージャは不成功であり、免許不要ＲＦスペクトル帯域のチャネルにアクセスするためのコンテンションが不成功であり得る。
【００２３】
[0033]ＣＣＡプロシージャまたは拡張ＣＣＡプロシージャが成功であるときは、免許不要ＲＦスペクトル帯域のチャネル上で送信が行われ得る。（例えば、２つ以上の送信側装置によって行われた送信の衝突に起因してまたはプアなチャネル状態に起因して）パケット誤りが見つけられたときは、ハイブリッド自動再送要求（ＨＡＲＱ）をベースにした再送信が実行され得る。幾つかの例において、再送信は、（例えば、ＵＥによって報告されたチャネル品質インジケータ（ＣＱＩ）に少なくとも部分的に基づいて）レート適合化を使用してオリジナルの送信から変更され得る。
【００２４】
[0034]免許不要ＲＦスペクトル帯域へのアクセスを獲得して免許不要ＲＦスペクトル帯域上で通信する前に、Ｗｉ−ＦｉアクセスポイントまたはＷｉ−Ｆｉ局は、Ｗｉ−ＦｉアクセスポイントまたはＷｉ−Ｆｉ局が１）免許不要ＲＦスペクトル帯域のチャネル上のエネルギーレベルを検出してエネルギーレベルがしきい値を下回るかどうかを決定し、および２）免許不要ＲＦスペクトル帯域のチャネル上でのＷｉ−Ｆｉプリアンブルの送信に関してリッスンするキャリア感知多重アクセス（ＣＳＭＡ）プロシージャを実行し得る。Ｗｉ−Ｆｉプリアンブルが検出されるエネルギーレベルは、免許不要ＲＦスペクトル帯域のチャネル上のエネルギーレベルが比較される対象であるしきい値よりも低いこと、および、幾つかの例でははるかに低いことがあり得る。エネルギーレベルがしきい値を下回り、Ｗｉ−Ｆｉノード（例えば、Ｗｉ−ＦｉアクセスポイントまたはＷｉ−Ｆｉ局）がＷｉ−Ｆｉプリアンブルの送信を検出しないときは、Ｗｉ−Ｆｉノードは、免許不要ＲＦスペクトル帯域のチャネルにアクセスし得る。エネルギーレベルがしきい値を超えるとき、または、Ｗｉ−ＦｉノードがＷｉ−Ｆｉプリアンブルの送信を検出したときは、Ｗｉ−Ｆｉノードは、コンテンションウィンドウサイズに基づいてバックオフカウンタを始動させ得、およびバックオフカウンタが満了するまで免許不要ＲＦスペクトル帯域のチャネルにアクセスするのを控え得る。エネルギーレベルがしきい値を超えるとＷｉ−Ｆｉノードが決定する、Ｗｉ−Ｆｉプリアンブルの送信を検出する、および／または送信が行われた先であるＷｉ−Ｆｉノードから否定応答（ＮＡＣＫ）を受け取るごとに、Ｗｉ−Ｆｉノードは、Ｗｉ−ＦｉノードへのまたはＷｉ−Ｆｉノードからの次の送信中のデータ衝突または干渉の確率を低下させるためにコンテンションウィンドウのサイズを増大させ得る（例えば、２倍にし得る）。メディアアクセス制御（ＭＡＣ）プロトコルデータユニット（ＭＰＤＵ）アグリゲーションの場合は、コンテンションウィンドウサイズは、すべてのＭＰＤＵが受信側装置によって誤って復号されたときに増大し得る。コンテンションウィンドウのサイズは、Ｗｉ−Ｆｉノードが免許不要ＲＦスペクトル帯域のチャネルへのアクセスを成功裏に獲得した時点で縮小され得る（例えば、最小のサイズにリセットし得る）。Ｗｉ−ＦｉノードによるＮＡＣＫの受け取りに関して、（例えば、報告されたＣＱＩに基づいて）再送信の１つまたは複数のパラメータを調整するためのメカニズムは存在しない。
【００２５】
[0035]セルラーノードおよびＷｉ−Ｆｉノードによって使用されるチャネルアクセスメカニズムとレート適合化メカニズムとの間の非対称性は、１つまたは複数のＷｉ−Ｆｉノードが１つまたは複数のセルラーノードによる免許不要ＲＦスペクトル帯域の共有チャネルへのアクセスが欠乏することをもたらし得る。本明細書において説明されるように、このＷｉ−Ｆｉノード欠乏問題は、セルラーＲＡＴを使用する免許不要ＲＦスペクトル帯域上での送信内にＷｉ−Ｆｉ無線アクセス技術（ＲＡＴ）によって復号可能なチャネル占有識別子を挿入することによって軽減させ得る。
【００２６】
[0036]図１は、本開示の様々な態様による、ワイヤレス通信システム例１００のイラストである。ワイヤレス通信システム１００は、セルラーネットワークと、Ｗｉ−Ｆｉネットワークと、を含み得る。セルラーネットワークは、１つまたは複数の基地局１０５、１０５−ａと、１つまたは複数のＵＥ１１５、１１５−ａと、コアネットワーク１３０と、を含み得る。Ｗｉ−Ｆｉネットワークは、１つまたは複数のＷｉ−Ｆｉアクセスポイント１３５、１３５−ａと、１つまたは複数のＷｉ−Ｆｉ局１４０、１４０−ａと、を含み得る。
【００２７】
[0037]ワイヤレス通信システム１００のセルラーネットワークに関連し、コアネットワーク１３０は、ユーザ認証、アクセス権限付与、トラッキング、インターネットプロトコル（ＩＰ）接続性、および、他のアクセス、ルーティング、またはモビリティ機能を提供し得る。基地局１０５、１０５−ａは、バックホールリンク１３２（例えば、Ｓ１、等）を通じてコアネットワーク１３０とインタフェースし得、および、ＵＥ１１５、１１５−ａとの通信のための無線構成およびスケジューリングを実行し得、または、基地局コントローラ（示されていない）の制御下で動作し得る。様々な例において、基地局１０５、１０５−ａは、直接または（例えば、コアネットワーク１３０を通じて）間接的に、有線または無線の通信リンクであり得るバックホールリンク１３４（例えば、Ｘ２、等）を通じて互いと通信し得る。
【００２８】
[0038]基地局１０５、１０５−ａは、１本または複数本の基地局アンテナを介してＵＥ１１５、１１５−ａと無線で通信し得る。基地局１０５、１０５−ａサイトの各々は、各々の地理上のカバレッジエリア１１０に関する通信カバレッジを提供し得る。幾つかの例において、基地局１０５、１０５−ａは、ベーストランシーバ局、無線基地局、アクセスポイント、無線トランシーバ、ノードＢ、ｅＮｏｄｅＢ（ｅＮＢ）、ホームノードＢ、ホームｅＮｏｄｅＢ、または何らかの他の適切な用語と呼ばれ得る。基地局１０５、１０５−ａに関する地理上のカバレッジエリア１１０は、カバレッジエリアの一部分（示されていない）から成るセクタに分割され得る。セルラーネットワークは、異なるタイプの基地局１０５、１０５−ａ（例えば、マクロおよび／またはスモールセル基地局）を含み得る。異なる技術に関して重複する地理上のカバレッジエリア１１０が存在し得る。
【００２９】
[0039]幾つかの例において、セルラーネットワークは、ＬＴＥ／ＬＴＥ−Ａネットワークを含み得る。ＬＴＥ／ＬＴＥ−Ａネットワークにおいて、用語発展型ノードＢ（ｅＮＢ）は、基地局１０５、１０５−ａを説明するために使用され得、他方、用語ＵＥは、ＵＥ１１５、１１５−ａを説明するために使用され得る。セルラーネットワークは、異なるタイプのｅＮＢが様々な地理上の地域に関するカバレッジを提供するＨｅｔｅｒｏｇｅｎｅｏｕｓＬＴＥ／ＬＴＥ−Ａネットワークであり得る。例えば、各ｅＮＢまたは基地局１０５、１０５−ａは、マクロセル、スモールセル、および／または他のタイプのセルに関する通信カバレッジを提供し得る。用語「セル」は、文脈に依存して、基地局、基地局と関連されたキャリアまたはコンポーネントキャリア、または、キャリアまたは基地局のカバレッジエリア（例えば、セクタ、等）について説明するために使用されることができる３ＧＰＰ（登録商標）用語である。
【００３０】
[0040]マクロセルは、相対的に大きな地理上のエリア（例えば、半径数キロメートル）を網羅し得、および、ネットワークプロバイダとのサービス加入契約を有するＵＥによる無制限のアクセスを許容し得る。スモールセルは、マクロセルと同じまたは異なる（例えば、要免許、免許不要、等な）ＲＦスペクトル帯域で動作し得る、マクロセルと比較してより低い電力の基地局であり得る。スモールセルは、様々な例によるピコセルと、フェムトセルと、マイクロセルと、を含み得る。ピコセルは、相対的にそれよりも小さい地理上のエリアを網羅し得、ネットワークプロバイダとのサービス加入契約を有するＵＥによる無制限のアクセスを許容し得る。フェムトセルも、相対的に小さい地理上のエリア（例えば、自宅）を網羅し得、フェムトセルと関連性を有するＵＥ（例えば、クローズド加入者グループ（ＣＳＧ）内のＵＥ、自宅内のユーザのためのＵＥ、および同様の物）による制限されたアクセスを提供し得る。マクロセルに関するｅＮＢは、マクロｅＮＢと呼ばれ得る。スモールセルに関するｅＮＢは、スモールセルｅＮＢ、ピコｅＮＢ、フェムトｅＮＢまたはホームｅＮＢと呼ばれ得る。ｅＮＢは、１つのまたは複数の（例えば、２つ、３つ、４つ、等）セル（例えば、コンポーネントキャリア）をサポートし得る。
【００３１】
[0041]セルラーネットワークは、同期的なまたは非同期的な動作をサポートし得る。同期的な動作の場合は、基地局は、同様のフレームタイミングを有し得、異なる基地局からの送信は、時間的にほぼ整合させ得る。非同期的な動作の場合は、基地局は、異なるフレームタイミングを有し得、異なる基地局からの送信は、時間的に整合させ得ない。本明細書において説明される技法は、同期的な動作または非同期的な動作のいずれかのために使用し得る。
【００３２】
[0042]セルラーネットワークは、幾つかの例では、層化されたプロトコルスタックにより動作するパケットをベースにしたネットワークを含み得る。ユーザプレーンにおいて、ベアラまたはパケットデータコンバージェンスプロトコル（ＰＤＰＣ）層における通信は、ＩＰに基づき得る。無線リンク制御（ＲＬＣ）層は、論理チャネルを通じて通信するためにパケット分割および再組み立てを実行し得る。ＭＡＣ層は、論理チャネルの優先的取り扱いおよびトランスポートチャネルへの多重化を実行し得る。ＭＡＣ層はまた、リンク効率を向上させるためにＭＡＣ層で再送信を提供するためにハイブリッドＡＲＱ（ＨＡＲＱ）を使用し得る。制御プレーンにおいて、無線リソース制御（ＲＲＣ）プロトコル層は、ＵＥ１１５、１１５−ａと基地局１０５、１０５−ａまたはユーザプレーンデータのための無線ベアラをサポートするコアネットワーク１３０との間でのＲＲＣ接続の確立、構成、およびメンテナンスを提供し得る。物理（ＰＨＹ）層において、トランスポートチャネルは、物理チャネルにマッピングされ得る。
【００３３】
[0043]ＵＥ１１５、１１５−ａは、ワイヤレス通信システム１００全体にわたって分散され得、各ＵＥ１１５、１１５−ａは、静止型または移動型であり得る。ＵＥ１１５、１１５−ａはまた、移動局、加入者局、モバイルユニット、加入者ユニット、無線ユニット、遠隔ユニット、モバイルデバイス、無線デバイス、ワイヤレス通信デバイス、遠隔デバイス、モバイル加入者局、アクセス端末、モバイル端末、無線端末、遠隔端末、ハンドセット、ユーザエージェント、モバイルクライアント、クライアント、または何らかの他の適切な用語を含み得または当業者によってそれらの用語と呼ばれ得る。ＵＥ１１５、１１５−ａは、携帯電話、携帯情報端末（ＰＤＡ）、無線モデム、ワイヤレス通信デバイス、ハンドヘルドデバイス、タブレットコンピュータ、ラップトップコンピュータ、コードレスフォン、ワイヤレスローカルループ（ＷＬＬ）局、または同様の物であり得る。ＵＥは、マクロｅＮＢと、スモールセルｅＮＢと、中継基地局と、同様の物とを含む様々なタイプの基地局１０５、１０５−ａおよびネットワーク装置と通信することができる。
【００３４】
[0044]ワイヤレス通信システム１００において示される通信リンク１２５は、基地局１０５、１０５−ａからＵＥ１１５、１１５−ａへのダウンリンク（ＤＬ）送信、および／または、ＵＥ１１５、１１５−ａから基地局１０５、１０５−ａへのアップリンク（ＵＬ）送信を搬送し得る。ダウンリンク送信はまた、順方向リンク送信と呼ばれ得、アップリンク送信はまた、逆方向リンク送信と呼ばれ得る。
【００３５】
[0045]幾つかの例において、各通信リンク１２５は、１つまたは複数のキャリアを含み得、ここで、各キャリアは、上述される様々な無線技術により変調された複数のサブキャリア（例えば、異なる周波数の波形信号）から成る信号であり得る。各々の変調された信号は、異なるサブキャリア上で送信され得、および、制御情報（例えば、基準信号、制御チャネル、等）、オーバーヘッド情報、ユーザデータ、等を搬送し得る。通信リンク１２５は、（例えば、対になったスペクトルリソースを使用する）周波数領域二重化（ＦＤＤ）動作または（例えば、対でないスペクトルリソースを使用する）時間領域二重化（ＴＤＤ）動作を使用して双方向通信を送信し得る。ＦＤＤ動作（例えば、フレーム構造タイプ１）およびＴＤＤ動作（例えば、フレーム構造タイプ２）に関するフレーム構造が定義され得る。
【００３６】
[0046]ワイヤレス通信システム１００の幾つかの例において、基地局１０５、１０５−ａおよび／またはＵＥ１１５、１１５−ａは、基地局１０５、１０５−ａとＵＥ１１５、１１５−ａとの間の通信品質および信頼性を向上させるためにアンテナダイバーシティ方式を使用するための複数のアンテナを含み得る。さらに加えてまたは代替として、基地局１０５、１０５−ａおよび／またはＵＥ１１５、１１５−ａは、同じまたは異なるコーディングされたデータを搬送する複数の空間層を送信するために多経路環境を利用し得る多入力多出力（ＭＩＭＯ）技法を使用し得る。
【００３７】
[0047]ワイヤレス通信システム１００は、キャリアアグリゲーション（ＣＡ）またはマルチキャリア動作と呼ばれ得る特徴である、複数のセルまたはキャリア上での動作、をサポートし得る。キャリアはまた、コンポーネントキャリア（ＣＣ）、レイヤ、チャネル、等と呼ばれ得る。用語「キャリア」、「コンポーネントキャリア」、「セル」、および「チャネル」は、本明細書においては互換可能な形で使用され得る。ＵＥ１１５、１１５−ａは、キャリアアグリゲーションに関する複数のダウンリンクＣＣおよび１つまたは複数のアップリンクＣＣによって構成され得る。キャリアアグリゲーションは、ＦＤＤおよびＴＤＤの両方のコンポーネントキャリアとともに使用され得る。
【００３８】
[0048]ワイヤレス通信システム１００のＷｉ−Ｆｉネットワークに関連し、Ｗｉ−Ｆｉアクセスポイント１３５、１３５−ａは、１つまたは複数の通信リンク１４５を通じて、１本または複数本のＷｉ−Ｆｉアクセスポイントアンテナを介してＷｉ−Ｆｉ局１４０、１４０−ａと無線で通信し得る。幾つかの例において、Ｗｉ−Ｆｉアクセスポイント１３５、１３５−ａは、米国電気電子学会（ＩＥＥＥ）規格８０２．１１（例えば、ＩＥＥＥ規格８０２．１１ａ、
ＩＥＥＥ規格８０２．１１ｎ、またはＩＥＥＥ規格８０２．１１ａｃ）のような１つまたは複数のＷｉ−Ｆｉ通信規格を使用してＷｉ−Ｆｉ局１４０、１４０−ａと通信し得る。
【００３９】
[0049]幾つかの例において、Ｗｉ−Ｆｉ局１４０、１４０−ａは、携帯電話、携帯情報端末（ＰＤＡ）、ワイヤレス通信デバイス、ハンドヘルドデバイス、タブレットコンピュータ、ラップトップコンピュータ、または同様の物であり得る。幾つかの例において、装置は、ＵＥ１１５、１１５−ａおよびＷｉ−Ｆｉ局１４０、１４０−ａの両方の態様を含み得、そのような装置は、第１の無線アクセス技術（ＲＡＴ）（例えば、１つのセルラーＲＡＴ、または複数のセルラーＲＡＴ）を使用して１つまたは複数の基地局１０５、１０５−ａと通信し得、および、第２のＲＡＴ（例えば、１つのＷｉ−Ｆｉ  ＲＡＴ、または複数のＷｉ−Ｆｉ  ＲＡＴ）を使用して１つまたは複数のアクセスポイント１３５、１３５−ａと通信し得る。
【００４０】
[0050]幾つかの例において、基地局１０５、１０５−ａおよびＵＥ１１５、１１５−ａは、要免許ＲＦスペクトル帯域および／または免許不要ＲＦスペクトル帯域上で通信し得、他方、Ｗｉ−Ｆｉアクセスポイント１３５、１３５−ａおよびＷｉ−Ｆｉ局１４０、１４０−ａは、免許不要ＲＦスペクトル帯域上で通信し得る。従って、免許不要ＲＦスペクトル帯域は、基地局１０５、１０５−ａ、ＵＥ１１５、１１５−ａ、Ｗｉ−Ｆｉアクセスポイント１３５、１３５−ａ、および／またはＷｉ−Ｆｉ局１４０、１４０−ａによって共用され得る。免許不要ＲＦスペクトル帯域は、異なるプロトコル（例えば、異なるＲＡＴ）の下で動作する装置によって共用され得るため、送信側装置は、免許不要ＲＦスペクトル帯域へのアクセスのために競争し得る。
【００４１】
[0051]一例として、免許不要ＲＦスペクトル帯域は、無線スペクトル（例えば、無線周波数、または約３００ギガヘルツ（ＧＨｚ）よりも低い周波数に対応する電磁スペクトルの部分）に含められた１つまたは複数の無線周波数（例えば、１つまたは複数のＲＦスペクトル帯域）を含み得る。幾つかの態様において、免許不要ＲＦスペクトル帯域は、１つまたは複数のＲＦスペクトル帯域を介して通信することに関する（例えば、国と関連された）規制当局の規則に準拠する任意のデバイスによる共用のために開放されている１つまたは複数のＲＦスペクトル帯域を含み得る。例えば、免許不要ＲＦスペクトル帯域は、約５ＧＨｚと約６ＧＨｚとの間の１つまたは複数の無線周波数を含み得る。より具体的な例として、免許不要ＲＦスペクトル帯域は、約５．１５ＧＨｚと約５．８２５ＧＨｚとの間の１つまたは複数の無線周波数を含み得る。
【００４２】
[0052]別の例として、免許不要ＲＦスペクトル帯域は、免許不要米国情報インフラストラクチャ（Ｕ−ＮＩＩ）無線帯域として米国連邦通信委員会（ＦＣＣ）によって定義された１つまたは複数のＲＦスペクトル帯域を含み得る。Ｕ−ＮＩＩ無線帯域は、例えば、約５．１５ＧＨｚと約５．２５ＧＨｚとの間の第１のＲＦスペクトル帯域（例えば、Ｕ−ＮＩＩ低帯域）、約５．２５ＧＨｚと約５．３５ＧＨｚとの間の第２のＲＦスペクトル帯域（例えば、Ｕ−ＮＩＩ中間帯域）、約５．４７ＧＨｚと約５．７２５ＧＨｚとの間の第３のＲＦスペクトル帯域（例えば、Ｕ−ＮＩＩワールドワイド帯域）、および／または、約５．７２５ＧＨｚと約５．８２５ＧＨｚとの間の第４のＲＦスペクトル帯域（例えば、Ｕ−ＮＩＩ上方帯域）を含み得る。
【００４３】
[0053]免許不要ＲＦスペクトル帯域は、ＲＦ通信が送信され得るＲＦチャネルに分割され得る。例えば、免許不要ＲＦスペクトル帯域は、約２０ＭＨｚの帯域幅の１つまたは複数のチャネルを含み得る。無線デバイス（例えば、ＵＥ１１５、Ｗｉ−Ｆｉアクセスポイント１３５、基地局１０５、等）は、免許不要ＲＦスペクトル帯域に含められたＲＦチャネルを介して通信し得る。例えば、無線デバイスは、Ｗｉ−Ｆｉ無線アクセス技術、ＬＴＥ無線アクセス技術、または同様の物を使用してＲＦチャネルを介して通信し得る。幾つかの態様において、本明細書の別の箇所においてより詳細に説明されるように、無線デバイスは、免許不要ＲＦスペクトル帯域を介して送信物を送信する前に免許不要ＲＦスペクトル帯域へのアクセスのために競争し得る。
【００４４】
[0054]図２は、本開示の様々な態様による、免許不要ＲＦスペクトル帯域を使用した異なるシナリオ下でＬＴＥおよび／またはＬＴＥ−Ａがデプロイされ得るワイヤレス通信システム例２００のイラストである。より具体的には、図２は、補足的ダウンリンクモード（例えば、要免許補助アクセスモード）、キャリアアグリゲーションモード、および、ＬＴＥ／ＬＴＥ−Ａが免許不要ＲＦスペクトル帯域を使用してデプロイされるスタンドアロンモードの例を示す。ワイヤレス通信システム２００は、図１に関連して説明されるワイヤレス通信システム１００の一部分の例であり得る。さらに、第１の基地局２０５および第２の基地局２０５−ａは、図１に関連して説明される基地局１０５、１０５−ａのうちの１つまたは複数の態様の例であり得、他方、第１のＵＥ２１５、第２のＵＥ２１５−ａ、第３のＵＥ２１５−ｂ、および第４のＵＥ２１５−ｃは、図１に関連して説明されるＵＥ１１５、１１５−ａのうちの１つまたは複数の態様の例であり得る。
【００４５】
[0055]ワイヤレス通信システム２００における補足的ダウンリンクモード（例えば、要免許補助アクセス）の例において、第１の基地局２０５は、ダウンリンクチャネル２２０を使用して第１のＵＥ２１５にＯＦＤＭＡ波形を送信し得る。ダウンリンクチャネル２２０は、免許不要ＲＦスペクトル帯域における周波数Ｆ１と関連させ得る。第１の基地局２０５は、第１の双方向リンク２２５を使用して第１のＵＥ２１５にＯＦＤＭＡ波形を送信し得、および、第１の双方向リンク２２５を使用して第１のＵＥ２１５からＳＣ−ＦＤＭＡ波形を受信し得る。第１の双方向リンク２２５は、要免許ＲＦスペクトル帯域における周波数Ｆ４と関連させ得る。免許不要ＲＦスペクトル帯域におけるダウンリンクチャネル２２０および要免許ＲＦスペクトル帯域における第１の双方向リンク２２５は、同時に動作し得る。ダウンリンクチャネル２２０は、第１の基地局２０５に関するダウンリンク容量オフロードを提供し得る。幾つかの例において、ダウンリンクチャネル２２０は、（例えば、１つのＵＥにアドレッシングされた）ユニキャストサービスのためにまたは（例えば、幾つかのＵＥにアドレッシングされた）マルチキャストサービスのために使用され得る。このシナリオは、要免許ＲＦスペクトル帯域を使用しトラフィックおよび／またはシグナリング混雑の一部を緩和する必要がある任意のサービスプロバイダ（例えば、モバイルネットワークオペレータ（ＭＮＯ））に関して生じ得る。
【００４６】
[0056]ワイヤレス通信システム２００におけるキャリアアグリゲーションモードの一例において、第１の基地局２０５は、第２の双方向リンク２３０を使用して第２のＵＥ２１５−ａにＯＦＤＭＡ波形を送信し得、および、第２の双方向リンク２３０を使用して第２のＵＥ２１５−ａからＯＦＤＭＡ波形、ＳＣ−ＦＤＭＡ波形、および／またはリソースブロックインターリーブされたＦＤＭＡ波形を受信し得る。第２の双方向リンク２３０は、免許不要ＲＦスペクトル帯域における周波数Ｆ１と関連させ得る。第１の基地局２０５はまた、第３の双方向リンク２３５を使用して第２のＵＥ２１５−ａにＯＦＤＭＡ波形を送信し得、および、第３の双方向リンク２３５を使用して第２のＵＥ２１５−ａからＳＣ−ＦＤＭＡ波形を受信し得る。第３の双方向リンク２３５は、要免許ＲＦスペクトル帯域における周波数Ｆ２と関連させ得る。第２の双方向リンク２３０は、第１の基地局２０５に関するダウンリンクおよびアップリンク容量オフロードを提供し得る。上述される補足的ダウンリンクモード（例えば、要免許補助アクセスモード）と同様に、このシナリオは、要免許ＲＦスペクトル帯域を使用しトラフィックおよび／またはシグナリング混雑の一部を緩和させる必要がある任意のサービスプロバイダ（例えば、ＭＮＯ）に関して生じ得る。
【００４７】
[0057]ワイヤレス通信システム２００におけるキャリアアグリゲーションモードの別の例において、第１の基地局２０５は、第４の双方向リンク２４０を使用して第３のＵＥ２１５−ｂにＯＦＤＭＡ波形を送信し得、および、第４の双方向リンク２４０を使用して第３のＵＥ２１５−ｂからＯＦＤＭＡ波形、ＳＣ−ＦＤＭＡ波形、および／またはリソースブロックインターリーブされた波形を受信し得る。第４の双方向リンク２４０は、免許不要ＲＦスペクトル帯域における周波数Ｆ３と関連させ得る。第１の基地局２０５はまた、第５の双方向リンク２４５を使用して第３のＵＥ２１５−ｂにＯＦＤＭＡ波形を送信し得、および、第５の双方向リンク２４５を使用して第３のＵＥ２１５−ｂからＳＣ−ＦＤＭＡ波形を受信し得る。第５の双方向リンク２４５は、要免許ＲＦスペクトル帯域における周波数Ｆ２と関連させ得る。第４の双方向リンク２４０は、第１の基地局２０５に関するダウンリンクおよびアップリンク容量オフロードを提供し得る。この例および上において提供されるそれらは、例示目的で提示され、他の同様の動作のモードまたは要免許ＲＦスペクトル帯域においてＬＴＥ／ＬＴＥ−Ａを組み合わせて容量オフロードのために免許不要ＲＦスペクトル帯域を使用するデプロイメントシナリオが存在し得る。
【００４８】
[0058]上述されるように、免許不要ＲＦスペクトル帯域においてＬＴＥ／ＬＴＥ−Ａを使用することによって提供される容量オフロードから利益が得られる１つのタイプのサービスプロバイダは、ＬＴＥ／ＬＴＥ−Ａ要免許ＲＦスペクトル帯域へのアクセス権を有する伝統的なＭＮＯである。これらのサービスプロバイダの場合、動作例は、要免許ＲＦスペクトル帯域上でＬＴＥ−／ＬＴＥ−Ａプライマリコンポーネントキャリア（ＰＣＣ）および免許不要ＲＦスペクトル帯域上で少なくとも１つのセカンダリコンポーネントキャリア（ＳＣＣ）を使用するブートストラップモード（例えば、補足的ダウンリンク（または要免許補助アクセス）、キャリアアグリゲーション）を含み得る。
【００４９】
[0059]キャリアアグリゲーションモードにおいて、データおよび制御は、例えば、（例えば、第１の双方向リンク２２５、第３の双方向リンク２３５、および第５の双方向リンク２４５を介して）要免許ＲＦスペクトル帯域で通信され得、他方、データは、例えば、（例えば、第２の双方向リンク２３０および第４の双方向リンク２４０を介して）免許不要ＲＦスペクトル帯域で通信され得る。免許不要ＲＦスペクトル帯域を使用時にサポートされるキャリアアグリゲーションメカニズムは、コンポーネントキャリア間で異なる対称性を有するハイブリッド周波数分割二重−時分割二重（ＦＤＤ−ＴＤＤ）キャリアアグリゲーションまたはＴＤＤ−ＴＤＤキャリアアグリゲーションに属し得る。
【００５０】
[0060]ワイヤレス通信システム２００におけるスタンドアロンモードの一例において、第２の基地局２０５−ａは、双方向リンク２５０を使用して第４のＵＥ２１５−ｃにＯＦＤＭＡ波形を送信し得、および、双方向リンク２５０を使用して第４のＵＥ２１５−ｃからＯＦＤＭＡ波形、ＳＣ−ＦＤＭＡ波形、および／またはリソースブロックインターリーブされた波形を受信し得る。双方向リンク２５０は、免許不要ＲＦスペクトル帯域における周波数Ｆ３と関連させ得る。スタンドアロンモードは、スタジアム内アクセス（例えば、ユニキャスト、マルチキャスト）のような非伝統的な無線アクセスシナリオで使用され得る。この動作のモードに関する１つのタイプのサービスプロバイダは、要免許ＲＦスペクトル帯域へのアクセスを有さないスタジアム所有者、ケーブル会社、イベントホスト、企業、または大法人であり得る。
【００５１】
[0061]幾つかの例において、図１および／または図２に関連して説明される基地局１０５、１０５−ａ、２０５、および／または２０５−ａのうちの１つ、および／または、図１および／または図２に関連して説明されるＵＥ１１５、１１５−ａ、２１５、２１５−ａ、２１５−ｂ、および／または２１５−ｃのうちの１つのような送信側装置は、免許不要ＲＦスペクトル帯域のチャネルへの（例えば、免許不要ＲＦスペクトル帯域の物理チャネルへの）アクセスを獲得するためにゲーティング間隔(gating interval)を使用し得る。幾つかの例において、ゲーティング間隔は、周期的であり得る。例えば、周期的なゲーティング間隔は、ＬＴＥ／ＬＴＥ−Ａ無線間隔の少なくとも１つの境界と同期化され得る。ゲーティング間隔は、欧州電気通信標準化機構（ＥＴＳＩ）（ＥＮ３０１  ８９３）において規定されたＬＢＴプロトコルに基づくＬＢＴプロトコルのようなコンテンションをベースにしたプロトコルの適用を定義し得る。ＬＢＴプロトコルの適用を定義するゲーティング間隔を使用するときは、ゲーティング間隔は、送信側装置がクリアチャネルアセスメント（ＣＣＡ）プロシージャのようなコンテンションプロシージャ（例えば、ＬＢＴプロシージャ）をいつ実行する必要があるかを示し得る。ＣＣＡプロシージャの結果は、免許不要ＲＦスペクトル帯域のチャネルが（ＬＢＴ無線フレームとも呼ばれる）ゲーティング間隔に関して利用可能であるかまたは使用中であるかを送信側装置に示し得る。対応するＬＢＴ無線フレームに関してチャネルが利用可能である（例えば、使用に関して「クリア」）ことをＣＣＡプロシージャが示すときは、送信側装置は、ＬＢＴ無線フレームの一部または全体中に免許不要ＲＦスペクトル帯域のチャネルを予約および／または使用し得る。チャネルが利用可能でない（例えば、チャネルが別の送信側装置によって使用中であるかまたは予約されている）ことをＣＣＡプロシージャが示すときは、送信側装置は、ＬＢＴ無線フレーム中にチャネルを使用することが妨げられ得る。
【００５２】
[0062]図３は、本開示の様々な態様による、図１および図２の１つまたは複数のデバイス３００のコンポーネント例のイラストである。デバイス３００は、基地局１０５、ＵＥ１１５、Ｗｉ−Ｆｉアクセスポイント１３５、Ｗｉ−Ｆｉ局１４０、基地局２０５、および／またはＵＥ２１５に対応し得る。幾つかの態様において、基地局１０５、ＵＥ１１５、Ｗｉ−Ｆｉアクセスポイント１３５、Ｗｉ−Ｆｉ局１４０、基地局２０５、および／またはＵＥ２１５は、１つまたは複数のデバイス３００および／またはデバイス３００の１つまたは複数のコンポーネントを含み得る。図３において示されるように、デバイス３００は、バス３１０と、プロセッサ３２０と、メモリ３３０と、記憶コンポーネント３４０と、入力コンポーネント３５０と、出力コンポーネント３６０と、通信インタフェース３７０と、を含み得る。
【００５３】
[0063]バス３１０は、デバイス３００のコンポーネント間での通信を許可するコンポーネントを含み得る。プロセッサ３２０は、中央処理装置（ＣＰＵ）、グラフィックス処理ユニット（ＧＰＵ）、加速処理ユニット（ＡＰＵ）、マイクロプロセッサ、デジタル信号プロセッサ（ＤＳＰ）、フィールドプログラマブルゲートアレイ（ＦＧＰＡ）、特定用途向け集積回路（ＡＳＩＣ）、および／または命令を解釈および／または実行する同様のタイプの処理コンポーネントのような処理コンポーネントを含み得る。メモリ３３０は、ランダムアクセスメモリ（ＲＡＭ）、読み取り専用メモリ（ＲＯＭ）、および／または、プロセッサ３２０による使用のために情報および／または命令を格納する別のタイプのダイナミックまたはスタティック記憶デバイス（例えば、フラッシュメモリ、磁気メモリ、光学メモリ、等）を含み得る。
【００５４】
[0064]記憶コンポーネント３４０は、デバイス３００の動作および使用に関連する情報および／またはソフトウェアを格納し得る。例えば、記憶コンポーネント３４０は、ハードディスク（例えば、磁気ディスク、光ディスク、光磁気ディスク、ソリッドステートディスク、等）、コンパクトディスク（ＣＤ）、デジタルバーサタイルディスク（ＤＶＤ）、フロッピー（登録商標）ディスク、カートリッジ、磁気テープ、および／または別のタイプのコンピュータ可読媒体を、対応するドライブとともに、含み得る。
【００５５】
[0065]入力コンポーネント３５０は、デバイス３００が例えばユーザ入力（例えば、タッチ画面ディスプレイ、キーボード、キーパッド、マウス、ボタン、スイッチ、マイク、等）を介して情報を受け取ることを可能にするコンポーネントを含み得る。さらに加えて、または代替として、入力コンポーネント３５０は、情報を検知するためのセンサ（例えば、全地球測位システム（ＧＰＳ）コンポーネント、加速度計、ジャイロスコープ、アクチュエータ、等）を含み得る。出力コンポーネント３６０は、デバイス３００からの出力情報を提供するコンポーネント（例えば、ディスプレイ、スピーカー、１つまたは複数の発光ダイオード（ＬＥＤ）、等）を含み得る。
【００５６】
[0066]通信インタフェース３７０は、デバイス３００が例えば有線接続、無線接続、または有線接続と無線接続の組み合わせを介して他のデバイスと通信することを可能にするトランシーバに類似するコンポーネント（例えば、トランシーバ、別々の受信機および送信機、等）を含み得る。通信インタフェース３７０は、デバイス３００が別のデバイスから情報を受け取るおよび／または別のデバイスに情報を提供することを可能にし得る。例えば、通信インタフェース３７０は、イーサネット（登録商標）インタフェース、光インタフェース、同軸インタフェース、赤外線インタフェース、ＲＦインタフェース、ユニバーサルシリアルバス（ＵＳＢ）インタフェース、Ｗｉ−Ｆｉインタフェース、セルラーネットワークインタフェース、または同様の物を含み得る。
【００５７】
[0067]デバイス３００は、本明細書において説明される１つまたは複数のプロセスを実行し得る。デバイス３００は、メモリ３３０および／または記憶コンポーネント３４０のようなコンピュータ可読媒体によって格納されたソフトウェア命令をプロセッサ３２０が実行することに応答してこれらのプロセスを実行し得る。コンピュータ可読媒体は、本明細書では、非一時的なメモリデバイスとして定義される。メモリデバイスは、単一の物理的記憶デバイス内のメモリスペースまたは複数の物理的記憶デバイスにわたって拡散されたメモリスペースを含む。
【００５８】
[0068]ソフトウェア命令は、通信インタフェース３７０を介して別のコンピュータ可読媒体からまたは別のデバイスからメモリ３３０および／または記憶コンポーネント３４０内に読み込まれ得る。実行されると、メモリ３３０および／または記憶コンポーネント３４０内に格納されたソフトウェア命令は、本明細書において説明される１つまたは複数のプロセスを実行することをプロセッサ３２０に行わせ得る。さらに加えて、または代替として、本明細書において説明される１つまたは複数のプロセスを実行するためにソフトウェア命令の代わりにまたはソフトウェア命令と組み合わせてハードワイヤド回路が使用され得る。従って、本明細書において説明される態様は、ハードウェア回路およびソフトウェアのどのような特定の組み合わせにも限定されない。
【００５９】
[0069]図３において示されるコンポーネントの数および配置は、一例として提供される。実際上は、デバイス３００は、図３において示されるコンポーネントの追加のコンポーネント、より少ないコンポーネント、異なるコンポーネント、または、異なる形で配置されたコンポーネントを含み得る。さらに加えて、または代替として、デバイス３００のコンポーネントの組（例えば、１つまたは複数のコンポーネント）は、デバイス３００のコンポーネントの別の組によって実行されるとして説明される１つまたは複数の機能を実行し得る。
【００６０】
[0070]図４Ａおよび４Ｂは、本開示の様々な態様による、例４００の概観のイラストである。図４Ａにおいて示されるように、基地局１０５およびＷｉ−Ｆｉアクセスポイント１３５は、免許不要ＲＦスペクトル帯域を介してＵＥ４１５、４１５−ａ、および／または４１５−ｂと通信することが可能である。幾つかの例において、ＵＥ４１５は、図１および／または図２に関連して説明されるＵＥ１１５、１１５−ａ、２１５、２１５−ａ、２１５−ｂ、および／または２１５−ｃのうちの１つであり得る。さらに示されるように、基地局１０５は、免許不要ＲＦスペクトル帯域４２０へのアクセスのために競争し得、および、免許不要ＲＦスペクトル帯域４２０が利用可能であるときにそれへのアクセスを獲得し得る。免許不要ＲＦスペクトル帯域４２０に関するコンテンションに勝利した後は、基地局１０５は、通信のためにある期間の間免許不要ＲＦスペクトル帯域４２０を占有し得る。
【００６１】
[0071]図４Ａにおいてさらに示されるように、Ｗｉ−Ｆｉアクセスポイント１３５も免許不要ＲＦスペクトル帯域４２０へのアクセスのために競争し得る。例えば、Ｗｉ−Ｆｉアクセスポイント１３５は、免許不要ＲＦスペクトル帯域４２０のエネルギーレベルを検出し得る。免許不要ＲＦスペクトル帯域４２０が利用可能でない場合（例えば、エネルギーレベルがしきい値よりも高い場合）は、Ｗｉ−Ｆｉアクセスポイント１３５は、免許不要ＲＦスペクトル帯域へのアクセスのために再度競争する前に待機し得る。幾つかの場合、免許不要ＲＦスペクトル帯域４２０が利用不能であるとＷｉ−Ｆｉアクセスポイント１３５が決定するごとに、Ｗｉ−Ｆｉアクセスポイント１３５は、Ｗｉ−Ｆｉアクセスポイント１３５がアクセスのために再度競争する前に待機する時間の量を増大させ得る。示されるように、これは、Ｗｉ−Ｆｉアクセスポイント１３５に免許不要ＲＦスペクトル帯域４２０へのアクセスを欠乏させて、Ｗｉ−Ｆｉアクセスポイント１３５がＵＥ４１５と通信することができない状態にし得る。
【００６２】
[0072]図４Ｂにおいて示されるように、基地局１０５は、免許不要ＲＦスペクトル帯域４２０を使用時にＷｉ−Ｆｉプリアンブル４２５を送信し得る。Ｗｉ−Ｆｉアクセスポイント１３５は、免許不要ＲＦスペクトル帯域４２０を介して送信する前にＷｉ−Ｆｉプリアンブル４２５に関してモニタリングすることによって免許不要ＲＦスペクトル帯域４２０が利用可能であるかどうかを決定し得る。これは、Ｗｉ−Ｆｉアクセスポイント１３５が免許不要ＲＦスペクトル帯域４２０のエネルギーレベルを単に検出するよりも正確に免許不要ＲＦスペクトル帯域４２０の利用可能性を決定することを可能にし得る。幾つかの場合、エネルギーレベルは、実際には免許不要ＲＦスペクトル帯域４２０が利用可能であるときに、（例えば、ノイズ、干渉、等に起因して）免許不要ＲＦスペクトル帯域４２０が利用不能であることを示し得る。従って、Ｗｉ−Ｆｉプリアンブル４２５を送信することによって、基地局１０５（または別のタイプのデバイス、例えば、免許不要ＲＦスペクトル帯域４２０においてデプロイされたＬＴＥ無線アクセス技術を使用するｅＮｏｄｅＢ）は、Ｗｉ−Ｆｉアクセスポイント１３５が免許不要ＲＦスペクトル帯域４２０の利用可能性を決定しおよび免許不要ＲＦスペクトル帯域４２０を介してＵＥ４１５と通信するのを支援し得る。
【００６３】
[0073]図５は、本開示の様々な態様による、免許不要ＲＦスペクトル帯域を介して第１の送信インジケータおよび第２の送信インジケータを送信するためのプロセス例５００のフロー図である。幾つかの態様において、図５の１つまたは複数のプロセスブロックは、基地局１０５によって実行され得る。幾つかの態様において、図５の１つまたは複数のプロセスブロックは、ＵＥ１１５および／またはＷｉ−Ｆｉアクセスポイント１３５のような、基地局１０５とは別個のまたは基地局１０５を含む別のデバイスまたはデバイスのグループによって実行され得る。
【００６４】
[0074]図５において示されるように、プロセス５００は、免許不要ＲＦスペクトル帯域が通信のために利用可能であると決定することを含み得る（ブロック５１０）。例えば、基地局１０５（および／またはＵＥ１１５）は、免許不要ＲＦスペクトル帯域が通信のために利用可能であるかどうかを決定し得る。幾つかの態様において、基地局１０５は、クリアチャネルアセスメント（ＣＣＡ）プロシージャ（例えば、ＣＣＡプロシージャ、拡張ＣＣＡ（ｅＣＣＡ）プロシージャ、または同様の物）を実行することによって免許不要ＲＦスペクトル帯域が通信のために利用可能であるかどうかを決定し得る。
【００６５】
[0075]クリアチャネルアセスメントプロシージャは、幾つかの態様においては、免許不要ＲＦスペクトル帯域と関連されたエネルギーレベル（例えば、免許不要ＲＦスペクトル帯域の１つまたは複数のＲＦチャネル内の無線信号のエネルギーレベル）を検出することを含み得る。例えば、基地局１０５は、免許不要ＲＦスペクトル帯域と関連されたエネルギーレベルを検出し得る。エネルギーレベルがしきいエネルギーレベルを満たす（例えば、しきいエネルギーレベルよりも高い）場合は、基地局１０５は、免許不要ＲＦスペクトル帯域（例えば、エネルギーが検出された免許不要ＲＦスペクトル帯域のチャネル）が通信のために利用不能であると決定し得る。逆に、エネルギーレベルがしきいエネルギーレベルを満さない（例えば、しきいエネルギーレベルよりも低い）場合は、基地局１０５は、免許不要ＲＦスペクトル帯域が通信のために利用可能であると決定し得る。
【００６６】
[0076]さらに加えて、または代替として、クリアチャネルアセスメントプロシージャは、免許不要ＲＦスペクトル帯域と関連された送信インジケータに関してモニタリングすることを含み得る。例えば、基地局１０５は、送信インジケータに関して（例えば、免許不要ＲＦスペクトル帯域のＲＦチャネル上での通信の存在をリッスンすることによって）免許不要ＲＦスペクトル帯域をモニタリングし得る。送信インジケータは、Ｗｉ−Ｆｉ無線アクセス技術と関連された、Ｗｉ−Ｆｉプリアンブルのような第１の送信インジケータを含み得る。さらに加えて、または代替として、送信インジケータは、免許不要ＲＦスペクトル帯域においてデプロイされたＬＴＥ無線アクセス技術（ＲＡＴ）と関連された第２の送信インジケータを含み得る。例えば、第２の送信インジケータは、デバイスが免許不要ＲＦスペクトル帯域においてデプロイされたＬＴＥ  ＲＡＴを使用して通信中であることを示すチャネル使用ビーコンシンボル（ＣＵＢＳ）を含み得る。送信インジケータは、デバイスが（例えば、ＲＦチャネル上で）免許不要ＲＦスペクトル帯域を介して通信中であることを示すために使用され得る。さらに加えて、または代替として、送信インジケータは、デバイスが免許不要ＲＦスペクトル帯域を介して通信するために使用中であるＲＡＴのタイプ（例えば、Ｗｉ−ＦｉＲＡＴ、免許不要ＲＦスペクトル帯域においてデプロイされたＬＴＥ  ＲＡＴ、等）を示し得る。
【００６７】
[0077]幾つかの態様において、Ｗｉ−Ｆｉアクセスポイント１３５は、第１の送信インジケータ（例えば、Ｗｉ−Ｆｉプリアンブル）を検出および復号することが可能であるが、第２の送信インジケータ（例えば、ＣＵＢＳ）を検出および／または復号することは可能でない。幾つかの態様において、基地局１０５および／またはＵＥ１１５は、第１の送信インジケータおよび第２の送信インジケータの両方を検出および復号することが可能である。
【００６８】
[0078]基地局１０５が送信インジケータを検出したときには、基地局１０５は、免許不要ＲＦスペクトル帯域が通信のために利用不能であると決定し得る。逆に、基地局１０５が（例えば、しきい期間の間免許不要ＲＦスペクトル帯域をモニタリングした後に）送信インジケータを検出しないときには、基地局１０５は、免許不要ＲＦスペクトル帯域が通信のために利用可能であると決定し得る。幾つかの態様において、送信インジケータは、免許不要ＲＦスペクトル帯域が利用不能である期間（例えば、免許不要ＲＦスペクトル帯域の占有継続時間）を示す継続時間インジケータを含み得る。基地局１０５は、免許不要ＲＦスペクトル帯域が通信のためにいつ利用可能であるかを決定するためにこの継続時間インジケータを使用し得る。
【００６９】
[0079]図５においてさらに示されるように、プロセス５００は、免許不要ＲＦスペクトル帯域を介して送信されるべき第１の送信インジケータおよび／または第２の送信インジケータと関連された１つまたは複数の送信特徴を決定することを含み得る（ブロック５２０）。例えば、基地局１０５（および／またはＵＥ１１５）は、第１の送信インジケータの１つまたは複数の送信特徴を決定し得る。上述されるように、第１の送信インジケータは、第１の送信インジケータを送信したソースデバイスがＷｉ−Ｆｉ無線アクセス技術を使用して免許不要ＲＦスペクトル帯域を介して通信中であることを示し得る。第１の送信インジケータは、Ｗｉ−Ｆｉアクセスポイント１３５および／またはＵＥ１１５のような、Ｗｉ−Ｆｉ無線アクセス技術を使用して通信するデバイスによって検出可能および復号可能なフォーマットであり得る。第１の送信インジケータのフォーマットは、Ｗｉ−Ｆｉ通信のプロトコルに少なくとも部分的に基づき得る。例えば、第１の送信インジケータは、通信が８０２．１１ａｃプロトコルを使用するときには８０２．１１ａｃフォーマットであり得る。別の例として、第１の送信インジケータは、通信が８０２．１１ｎプロトコルを使用するときには８０２．１１ｎフォーマットであり得る。幾つかの態様において、第１の送信インジケータは、Ｗｉ−Ｆｉプリアンブル（例えば、物理層コンバージェンスプロトコル（ＰＬＣＰ）プリアンブル、ロングＰＬＣＰプロトコルデータユニット（ＰＰＤＵ）プリアンブル、ショートＰＰＤＵプリアンブル、等）を含み得る。
【００７０】
[0080]別の例として、基地局１０５は、第２の送信インジケータの１つまたは複数の送信特徴を決定し得る。上述されるように、第２の送信インジケータは、第２の送信インジケータを送信したソースデバイスが免許不要ＲＦスペクトル帯域においてデプロイされたＬＴＥ  ＲＡＴを使用して免許不要ＲＦスペクトル帯域を介して通信中であることを示し得る。第２の送信インジケータは、基地局１０５および／またはＵＥ１１５のような、免許不要ＲＦスペクトル帯域においてデプロイされたＬＴＥ  ＲＡＴを使用して通信するデバイスによって検出可能および復号可能なフォーマットであり得る。幾つかの態様において、第２の送信インジケータは、チャネル使用ビーコンシンボル（ＣＵＢＳ）として送信され得る。ＣＵＢＳは、基地局１０５および／またはＵＥ１１５が免許不要ＲＦスペクトル帯域のチャネルを予約していることを示し得る。
【００７１】
[0081]送信特徴は、例えば、第１の送信インジケータおよび第２の送信インジケータが送信される順序を含み得る。幾つかの態様において、送信特徴は、第２の送信インジケータの前に第１の送信インジケータを送信するように指示し得る。幾つかの態様において、送信特徴は、第２の送信インジケータの後に第１の送信インジケータを送信するように指示し得る。幾つかの態様において、送信特徴は、（例えば、第２の送信インジケータ内に第１の送信インジケータを埋め込むことによって、第１の送信インジケータ内に第２の送信インジケータを埋め込むことによって、等によって）第１の送信インジケータおよび第２の送信インジケータを同時に送信するように指示し得る。
【００７２】
[0082]幾つかの態様において、基地局１０５は、１つまたは複数の通信構造の１つまたは複数のフィールドに第１の送信インジケータおよび第２の送信インジケータを含め得る。通信構造は、例えば、パケット、データグラム、セグメント、ブロック、セル、フレーム、サブフレーム、スロット、シンボル、または同様の物を含み得る。例えば、第１の送信インジケータは、通信構造の第１のフィールドに含められ得、第２の送信インジケータは、通信構造の第２のフィールドに含められ得る。幾つかの態様において、第１のフィールドは、通信構造内において第２のフィールドに先行し得る。幾つかの態様において、第２のフィールドは、通信構造内において第１のフィールドに先行し得る。幾つかの態様において、第１の送信インジケータおよび第２の送信インジケータは、通信構造の同じフィールドに含められ得る。送信特徴は、第１の送信インジケータおよび／または第２の送信インジケータを送信するためにいくつのフィールドが使用されるか、フィールドの順序、および同様の物を示し得る。
【００７３】
[0083]幾つかの態様において、送信特徴は、送信インジケータ内にコンテンツが含められるべきかどうかを示し得る。さらに加えて、または代替として、送信特徴は、送信インジケータ内に含められるべきコンテンツを特定し得る。コンテンツは、例えば、送信インジケータを送信したソースデバイスを特定するソースデバイス識別子（例えば、インターネットプロトコル（ＩＰ）アドレス、メディアアクセス制御（ＭＡＣ）アドレス、等のようなネットワークアドレス）、ソースデバイスのタイプ（例えば、Ｗｉ−Ｆｉ  ＲＡＴを使用するデバイスのタイプ、免許不要ＲＦスペクトル帯域においてデプロイされたＬＴＥ  ＲＡＴを使用するデバイスのタイプ、Ｗｉ−Ｆｉアクセスポイント、ｅＮｏｄｅＢ、ＵＥ、等）、ソースデバイスと関連されたネットワークオペレータを特定するネットワークオペレータ識別子、送信インジケータと関連された無線アクセス技術（例えば、Ｗｉ−Ｆｉ  ＲＡＴ、免許不要ＲＦスペクトル帯域においてデプロイされたＬＥＴ  ＲＡＴ、等）を特定する無線アクセス技術識別子、送信インジケータと関連された通信の継続時間を示す継続時間インジケータ、または同様の物を含み得る。幾つかの態様において、第２の送信インジケータ（例えば、ＣＵＢＳ）は、第１の送信インジケータ（例えば、Ｗｉ−Ｆｉプリアンブル）が送信されたおよび／または送信されていることの指示を含み得る。基地局１０５は、送信特徴に基づいて送信インジケータにコンテンツを含め得る。
【００７４】
[0084]送信特徴は、幾つかの態様において、送信インジケータの長さを示し得る。例えば、基地局１０５は、第２の送信インジケータのために、最低１つのＯＦＤＭシンボルと最大でＭの利用可能なＯＦＤＭシンボル（Ｍ＞１）（含む）の間の直交周波数分割多重（ＯＦＤＭ）シンボルの数を使用し得る。この場合、基地局１０５は、第１の送信インジケータのために残りの利用可能なＯＦＤＭシンボル（例えば、Ｍマイナス第２の送信インジケータのために使用されるＯＦＤＭシンボルの数）を使用し得る。基地局１０５は、（例えば、送信電力に関する要求、スペクトルマスクに関する要求、等を満たすために）送信特徴に基づいて第２の送信インジケータおよび／または第１の送信インジケータのために使用されるシンボルの数を調整し得る。
【００７５】
[0085]幾つかの態様において、送信特徴は、送信されるべき第１の送信インジケータのタイプを特定し得る。例えば、基地局１０５は、ネットワークを介しておよび／または免許不要ＲＦスペクトル帯域を介して通信中であるＷｉ−Ｆｉアクセスポイント１３５と関連されたプロトコルを決定するためにネットワークおよび／または免許不要ＲＦスペクトル帯域をモニタリングし得る。幾つかの態様において、基地局１０５は、Ｗｉ−Ｆｉアクセスポイント１３５によって送信されたパケットを検出し得、パケットは、Ｗｉ−Ｆｉアクセスポイント１３５と関連されたＷｉ−Ｆｉプロトコルを示し得る。さらに加えて、または代替として、基地局１０５は、ネットワークを介しておよび／または免許不要ＲＦスペクトル帯域を介して通信するために使用中である１つまたは複数のＷｉ−Ｆｉプロトコルを特定する情報を、別のデバイス（例えば、ＵＥ１１５、Ｗｉ−Ｆｉアクセスポイント１３５、等）に要求し得るおよび／または別のデバイス（例えば、ＵＥ１１５、Ｗｉ−Ｆｉアクセスポイント１３５、等）から受信し得る。さらに加えて、または代替として、基地局１０５は、Ｗｉ−Ｆｉアクセスポイント１３５のアンテナ構成を検出し得、および、アンテナ構成に基づいてＷｉ−Ｆｉプロトコルを決定し得る。
【００７６】
[0086]Ｗｉ−Ｆｉプロトコルは、例えば、８０２ａプロトコル、８０３１１ｎプロトコル、８０２．１１ａｃプロトコル、または同様の物を含み得る。異なるＷｉ−Ｆｉプロトコルが、異なる第１の送信インジケータ（例えば、異なるＷｉ−Ｆｉプリアンブル）と関連させ得る。この場合、基地局１０５は、決定されたプロトコルと関連された第１の送信インジケータのタイプを送信し得る。幾つかの態様において、基地局１０５は、（例えば、異なるタイプのＷｉ−Ｆｉアクセスポイント１３５と関連された複数のプロトコルが検出されたときに）複数のタイプの第１の送信インジケータを送信することを決定し得る。さらに加えて、または代替として、基地局１０５は、ネットワークを介しておよび／または免許不要ＲＦスペクトル帯域を介して通信中の複数のＷｉ−Ｆｉアクセスポイント１３５によって復号可能であるＷｉ−Ｆｉプロトコルを決定し得る。基地局１０５は、Ｗｉ−Ｆｉプロトコルを使用して第１の送信インジケータ（例えば、Ｗｉ−Ｆｉプリアンブル）を送信することを決定し得る。
【００７７】
[0087]幾つかの態様において、基地局１０５は、予め構成された情報（例えば、基地局１０５によって格納された情報）に基づいて１つまたは複数の送信特徴を決定し得る。さらに加えて、または代替として、基地局１０５は、１つまたは複数の他のデバイス（例えば、ＵＥ１１５、Ｗｉ−Ｆｉアクセスポイント１３５、等）から受信された情報に基づいて１つまたは複数の送信特徴を決定し得る。さらに加えて、または代替として、基地局１０５は、免許不要ＲＦスペクトル帯域および／または免許不要ＲＦスペクトル帯域と関連されたネットワークをモニタリングすることによって１つまたは複数の送信特徴を決定し得る。
【００７８】
[0088]図５においてさらに示されるように、プロセス５００は、免許不要ＲＦスペクトル帯域を介して、第１の送信インジケータおよび第２の送信インジケータを送信することを含み得る（ブロック５３０）。例えば、基地局１０５（および／またはＵＥ１１５）は、免許不要ＲＦスペクトル帯域を介して第１の送信インジケータおよび／または第２の送信インジケータを送信し得る。幾つかの態様において、上述されるように、基地局１０５は、１つまたは複数の決定された送信特徴に基づいて第１の送信インジケータおよび／または第２の送信インジケータを送信し得る。
【００７９】
[0089]幾つかの態様において、基地局１０５は、第１の送信インジケータおよび／または第２の送信インジケータを周期的に送信し得る。例えば、基地局１０５は、１つのＬＴＥフレームごとに１回（例えば、１０ミリ秒ごとに１回）第１の送信インジケータおよび／または第２の送信インジケータを送信し得る。幾つかの態様において、基地局１０５は、第１の送信インジケータおよび／または第２の送信インジケータの送信のタイミングを同期化および／または調整し得る。例えば、基地局１０５は、１つまたは複数の他の基地局１０５からの送信と送信を同期化し得る。別の例として、基地局１０５は、１つまたは複数のＷｉ−Ｆｉアクセスポイント１３５による第１の送信インジケータの検出可能性を向上させるために送信のタイミングを調整し得る。さらに加えて、または代替として、ＵＥ１１５は、ＵＥ１１５がチャネル上でデータを送信するようにスケジューリングされているときにある期間中に第１の送信インジケータを送信し得る。
【００８０】
[0090]図５においてさらに示されるように、プロセス５００は、免許不要ＲＦスペクトル帯域を介して通信を送信することを含み得る（ブロック５４０）。例えば、基地局１０５（および／またはＵＥ１１５）は、免許不要ＲＦスペクトル帯域を介して通信を送信し得る。幾つかの態様において、通信は、第１の送信インジケータおよび／または第２の送信インジケータを含み得る。さらに加えて、または代替として、通信は、制御情報、ペイロード、および／または他の情報を含み得る。例えば、基地局１０５は、制御送信物（例えば、物理ダウンリンク制御チャネル（ＰＤＣＣＨ）情報、拡張ＰＤＣＣＨ（ｅＰＤＣＣＨ）情報、等）、データ送信物（例えば、物理ダウンリンク共有チャネル（ＰＤＳＣＨ）情報、等）、または同様の物を（例えば、通信の本体内で）送信し得る。さらに加えて、または代替として、ＵＥ１１５は、データ送信物（例えば、物理アップリンク共有チャネル（ＰＵＳＣＨ）情報、等）、または同様の物を（例えば、通信の本体内で）送信し得る。幾つかの態様において、基地局１０５および／またはＵＥ１１５は、第１の送信インジケータおよび／または第２の送信インジケータを送信した後に通信を送信し得る。
【００８１】
[0091]第１の送信インジケータおよび第２の送信インジケータを送信することによって、基地局１０５は、Ｗｉ−Ｆｉアクセスポイント１３５が通信のための免許不要ＲＦスペクトル帯域の利用可能性をより正確に決定することを可能にし得る。さらに、基地局１０５は、別のデバイス（例えば、ＵＥ１１５、別の基地局１０５、等）が、送信インジケータに含められた情報に基づいて、免許不要ＲＦスペクトル帯域へのアクセスのために選択的に競争すること、および／または免許不要ＲＦスペクトル帯域を介して送信することを可能にし得る。
【００８２】
[0092]さらに、本明細書の別の箇所においてより詳細に説明されるように、送信インジケータは、送信インジケータを送信したソースデバイスのタイプを決定することを支援し得る。例えば、Ｗｉ−Ｆｉアクセスポイント１３５は、Ｗｉ−Ｆｉ  ＲＡＴを使用するときに第１の送信インジケータを送信し得、他方、ＬＴＥデバイス（例えば、基地局１０５、ＵＥ１１５、等）は、免許不要ＲＦスペクトル帯域においてデプロイされたＬＴＥ  ＲＡＴを使用するときに第１の送信インジケータおよび第２の送信インジケータの両方を送信し得る。Ｗｉ−Ｆｉ  ＲＡＴおよび免許不要ＲＦスペクトル帯域においてデプロイされたＬＴＥ  ＲＡＴの両方を使用して通信することが可能なデバイス（例えば、ＵＥ１１５）は、免許不要ＲＦスペクトル帯域においてＷｉ−Ｆｉ  ＲＡＴを使用して通信するときに第１の送信インジケータを送信し得、および、免許不要ＲＦスペクトル帯域においてデプロイされたＬＴＥ  ＲＡＴを使用して通信するときに第１の送信インジケータおよび第２の送信インジケータの両方を送信し得る。
【００８３】
[0093]幾つかのプロセスブロックは、基地局１０５によって実行されるとして上述される一方で、幾つかの態様では、ＵＥ１１５および／または別のデバイスがこれらのプロセスブロックを実行し得る。さらに、第１の送信インジケータは、Ｗｉ−Ｆｉ  ＲＡＴに関連されるとして説明され、第２の送信インジケータは、免許不要ＲＦスペクトル帯域においてデプロイされたＬＴＥ  ＲＡＴに関連されるとして説明される一方で、幾つかの態様は、他の無線アクセス技術と関連された１つまたは複数の送信インジケータを使用し得る。
【００８４】
[0094]図５は、プロセス５００のブロック例を示すが、幾つかの態様では、プロセス５００は、図５において描かれるブロックの追加のブロック、より少ないブロック、異なるブロック、または、異なる形で配置されたブロックを含み得る。さらに加えて、または代替として、プロセス５００のブロックのうちの２つ以上は、並行して実行され得る。
【００８５】
[0095]図６Ａおよび図６Ｂは、本開示の様々な態様による、図５において示されるプロセス例５００に関連する例６００のイラストである。図６Ａおよび図６Ｂは、免許不要ＲＦスペクトル帯域を介して第１の送信インジケータおよび第２の送信インジケータを送信する例を示す。
【００８６】
[0096]図６Ａにおいておよび参照数字６１０によって示されるように、免許不要ＲＦスペクトル帯域が５ＧＨｚ帯域内の免許不要ＲＦスペクトルの一部分を含む、と仮定すること。例えば、免許不要ＲＦスペクトル帯域が５．１５ＧＨｚと５．３５ＧＨｚとの間に１つまたは複数のＲＦチャネル（例えば、２０ＭＨｚ  ＲＦチャネル）を含む、と仮定すること。さらに、免許不要ＲＦスペクトル帯域が５．４７ＧＨｚと５．８２５ＧＨｚとの間に１つまたは複数のＲＦチャネルを含む、と仮定すること。参照数字６２０によって示されるように、基地局１０５がクリアチャネルアセスメントプロシージャを実行する、と仮定すること。クリアチャネルアセスメントプロシージャに基づいて、免許不要ＲＦスペクトル帯域が通信のために利用可能であると基地局１０５が決定する、と仮定すること。さらに、参照数字６３０によって示されるように、基地局１０５がＲＦチャネルを通信のために選択する、と仮定すること。
【００８７】
[0097]図６Ｂにおいておよび参照数字６４０によって示されるように、基地局１０５が免許不要ＲＦスペクトル帯域を介して送信されるべきＷｉ−ＦｉプリアンブルおよびＣＵＢＳと関連された送信特徴を決定する、と仮定すること。例えば、および示されるように、基地局１０５が、ＣＵＢＳを送信する前にＷｉ−Ｆｉプリアンブルを送信することを決定し、８０２．１１ａＷｉ−Ｆｉプロトコルを使用してＷｉ−Ｆｉプリアンブルを送信することを決定し、基地局１０５を「ｅＮｏｄｅＢ１２３」として特定するソースデバイス識別子を含むと決定し、基地局１０５をｅＮｏｄｅＢとして特定するソースデバイスタイプインジケータを含むと決定し、基地局１０５のネットワークオペレータを「ネットワークオペレータＡ」として特定するネットワークオペレータ識別子を含むと決定し、および基地局１０５からの通信の継続時間として３０ミリ秒を示す継続時間インジケータを含むと決定する、と仮定すること。基地局１０５がこれらの送信特徴に基づいてＷｉ−ＦｉプリアンブルおよびＣＵＢＳを生成する、と仮定すること。
【００８８】
[0098]参照数字６５０によって示されるように、基地局１０５が、免許不要ＲＦスペクトル帯域の選択されたＲＦチャネルを介してＷｉ−Ｆｉプリアンブル、ＣＵＢＳ、および通信（例えば、ペイロード）を送信する、と仮定すること。このように、基地局１０５は、基地局１０５がＲＦチャネルを使用中であることを他のデバイス（例えば、ＵＥ１１５、Ｗｉ−Ｆｉアクセスポイント１３５、別の基地局１０５、等）に通知し得る。Ｗｉ−ＦｉプリアンブルおよびＣＵＢＳがＲＦチャネルを介して提供される方法に関する追加の詳細が、本明細書において図７Ａおよび７Ｂに関連してより詳細に説明される。
【００８９】
[0099]上において示されるように、図６Ａおよび図６Ｂは、単に例として提供される。他の例が可能であり、および、図６Ａおよび図６Ｂに関して説明されたことと異なり得る。
【００９０】
[0100]図７Ａおよび図７Ｂは、本開示の様々な態様により、図５において示されるプロセス例５００に関連する別の例７００のイラストである。図７Ａおよび図７Ｂは、免許不要ＲＦスペクトル帯域を介してＷｉ−ＦｉプリアンブルおよびＣＵＢＳを送信する例を示す。
【００９１】
[0101]図７Ａの目的のために、基地局１０５が補足ダウンリンクモード（例えば、要免許補助アクセスモード）において免許不要ＲＦスペクトル帯域を介してワイヤレス通信を送信する、と仮定すること。補足ダウンリンクモード（例えば、要免許補助アクセスモード）は、ダウンリンク通信（例えば、基地局１０５からＵＥ１１５への通信）のために免許不要ＲＦスペクトル帯域を利用し得、アップリンク通信（例えば、ＵＥ１１５から基地局１０５への通信）のために免許不要ＲＦスペクトル帯域を利用し得ない。補足ダウンリンクモード（例えば、要免許補助アクセスモード）は、ダウンリンクにおける高いトラフィック量を緩和するために使用され得る。
【００９２】
[0102]図７Ａにおいて示されるように、免許不要ＲＦスペクトル帯域においてデプロイされたＬＴＥ  ＲＡＴを使用して情報を送信する基地局１０５は、ＬＴＥフレームを使用して通信を調整し得る。参照数字７０５によって示されるように、ＬＴＥフレームは、長さが１０ミリ秒であり得、および、各々が１ミリ秒の１０のサブフレームを含み得る。さらに示されるように、各サブフレームは、各々が０．５ミリ秒の２つのスロットを含み得る。スロットは、ある数のＯＦＤＭシンボル（例えば、サイクリックプリフィックスおよび／またはガード期間長に依存して６つのシンボルまたは７つのシンボル）を含み得る。参照数字７１０によって示されるように、補足ダウンリンクモード（例えば、要免許補助アクセスモード）において、サブフレームは、ダウンリンク送信（Ｄ）または特別送信（Ｓ）（例えば、ガード、または同様の物）のために使用され得る。この場合、特別送信は、クリアチャネルアセスメントプロシージャを実行するために、および／または、Ｗｉ−Ｆｉプリアンブルおよび／またはＣＵＢＳの送信のために使用され得る。
【００９３】
[0103]参照数字７１５によって示されるように、基地局１０５がクリアチャネルアセスメント（ＣＣＡ）プロシージャを実行することによってある初期の期間（例えば、サブフレーム０、１、および２、およびサブフレーム３の第１のスロット）中に免許不要ＲＦスペクトル帯域をモニタリングする、と仮定すること。この初期の期間中は免許不要ＲＦスペクトル帯域が利用不能である、および、ＣＣＡプロシージャが失敗である、と仮定すること。参照数字７２０によって示されるように、サブフレーム３中のある時点において（例えば、サブフレーム３の第２のスロットにおいて）、ＣＣＡプロシージャが成功であり、免許不要ＲＦスペクトル帯域が通信のために利用可能であると基地局１０５が決定する、と仮定すること。
【００９４】
[0104]この時点において、および参照数字７２５によって示されるように、基地局１０５は、サブフレーム３内で、Ｗｉ−Ｆｉプリアンブルを送信し、ＣＵＢＳによって後続される。参照数字７３０によって示されるように、基地局１０５は、ＣＣＡプロシージャがサブフレーム３内でいつ成功したかに基づいて（例えば、免許不要ＲＦスペクトル帯域が通信のために利用可能であると基地局１０５がいつ決定したかに基づいて）ＣＵＢＳの長さを調整し得る。例えば、基地局１０５は、（例えば、１つのＯＦＤＭシンボルからＭのＯＦＤＭシンボルまでの）ＣＵＢＳの長さを決定し得、従って、Ｗｉ−ＦｉプリアンブルおよびＣＵＢＳは、成功裏のＣＣＡプロシージャに従ってサブフレーム３の残りの部分を占有し得る。幾つかの態様において、Ｗｉ−Ｆｉプリアンブルは、固定長を有し得、ＣＵＢＳは、可変長を有し得る。
【００９５】
[0105]参照数字７３５によって示されるように、Ｗｉ−ＦｉプリアンブルおよびＣＵＢＳを送信後は、基地局１０５は、（例えば、制御情報、ペイロード、または同様の物を含み得る）ダウンリンク通信の本体を送信し得る。示されるように、基地局１０５が９つのサブフレーム（例えば、サブフレーム４、５、６、７、８、９、０、１、および２）の間にダウンリンク通信の本体を送信する、と仮定すること。参照数字７４０によって示されるように、１０番目のサブフレーム中に、免許不要ＲＦスペクトル帯域が依然として利用可能であるかどうかを決定するために基地局１０５がＣＣＡプロシージャを実行する、と仮定すること。免許不要ＲＦスペクトル帯域が引き続き利用可能である場合は、基地局１０５は、ダウンリンク通信の本体の次の部分を送信する前にＷｉ−ＦｉプリアンブルおよびＣＵＢＳを再送信する。１つのＬＴＥフレームごとに１回のように、ＣＣＡプロシージャを周期的に実行することによって、基地局１０５は、免許不要ＲＦスペクトル帯域へのアクセスのために競争する上での公平性を向上させ得る。
【００９６】
[0106]参照数字７４５によって示されるように、ＣＣＡプロシージャおよびＷｉ−ＦｉプリアンブルとＣＵＢＳの送信の完了時点で、浮動（ｆｌｏａｔｉｎｇ）ＬＴＥフレームが開始し得る。浮動ＬＴＥフレームは、長さが１０ミリ秒であり得、および、各々が１ミリ秒の１０のサブフレームを含み得る。示されるように、ＣＣＡプロシージャを実行しおよびＷｉ−ＦｉプリアンブルおよびＣＵＢＳを送信するためにサブフレームのうちの９つはダウンリンク送信のために使用され得、サブフレームのうちの１つは特別送信のために使用され得る。浮動ＬＴＥフレームは、免許不要ＲＦスペクトル帯域がいつ利用可能になるかに依存して浮動ＬＴＥフレームの第１のサブフレームが変わり得るため「浮動」と呼ばれ得る。
【００９７】
[0107]幾つかの態様において、（例えば、同じネットワークオペレータと関連された）複数の基地局１０５は、浮動ＬＴＥフレームの開始フレームおよび／または終了フレームに基づいて同期化ポイントについて交渉し得る。このように、基地局１０５は、複数の基地局１０５によって実行される動作の効率を向上させ得、および、（例えば、Ｗｉ−Ｆｉアクセスポイント１３５による）Ｗｉ−Ｆｉプリアンブルの検出可能性を向上させ得る。
【００９８】
[0108]図７Ｂの目的のために、基地局１０５および／またはＵＥ１１５が、キャリアアグリゲーションモードで、免許不要ＲＦスペクトル帯域を介して、ワイヤレス通信を送信する、と仮定すること。キャリアアグリゲーションモードは、ダウンリンク通信およびアップリンク通信（例えば、ＵＥ１１５から基地局１０５への通信）の両方のために免許不要ＲＦスペクトル帯域を利用し得る。キャリアアグリゲーションモードにおいて、ダウンリンク通信およびアップリンク通信のために使用されるリソースの量（例えば、サブフレームの数）は、リソース需要に依存して調整され得る。
【００９９】
[0109]図７Ｂにおいておよび参照数字７５０によって示されるように、キャリアアグリゲーションモードにおいて、サブフレームは、ダウンリンク送信（Ｄ）、アップリンク送信（Ｕ）、第１の特別送信（Ｓ）、または第２の特別送信（Ｓ’）のために使用され得る。この場合、第１の特別送信は、クリアチャネルアセスメントプロシージャを実行するために、および／または、（例えば、「ｅＮＢ」として示される）基地局１０５によるＷｉ−Ｆｉプリアンブルおよび／またはＣＵＢＳの送信のために基地局１０５によって使用され得る。さらに、第２の特別送信は、クリアチャネルアセスメントプロシージャを実行するために、および／または、（例えば、「ＵＥ」として示される）ＵＥ１１５によるＷｉ−Ｆｉプリアンブルおよび／またはＣＵＢＳの送信のためにＵＥ１１５によって使用され得る。
【０１００】
[0110]参照数字７５５によって示されるように、基地局１０５がクリアチャネルアセスメント（ＣＣＡ）プロシージャを実行することによってある初期の期間（例えば、サブフレーム０、１、および２、およびサブフレーム３の第１のスロット）中に免許不要ＲＦスペクトル帯域をモニタリングする、と仮定すること。この初期の期間中は免許不要ＲＦスペクトル帯域が利用不能である、およびＣＣＡプロシージャが失敗である、と仮定すること。参照数字７６０によって示されるように、サブフレーム３中のある時点において（例えば、サブフレーム３の第２のスロットにおいて）、ＣＣＡプロシージャが成功であり、免許不要ＲＦスペクトル帯域が通信のために利用可能であると基地局１０５が決定する、と仮定すること。
【０１０１】
[0111]この時点において、および参照数字７６５によって示されるように、基地局１０５は、図７Ａに関連して上述されるように、サブフレーム３内で、Ｗｉ−Ｆｉプリアンブルを送信し、ＣＵＢＳによって後続される。参照数字７７０によって示されるように、Ｗｉ−ＦｉプリアンブルおよびＣＵＢＳを送信後に、浮動ＬＴＥフレームが開始し得、基地局１０５は、ダウンリンク通信の本体を送信し得る。示されるように、基地局１０５が６つのサブフレーム（例えば、サブフレーム４、５、６、７、８、および９）の間にダウンリンク通信の本体を送信する、と仮定すること。
【０１０２】
[0112]参照数字７７５によって示されるように、浮動ＬＴＥフレーム（例えば、サブフレーム０）の７番目のサブフレーム中に、免許不要ＲＦスペクトル帯域がアップリンク通信のために利用可能であるかどうかを決定するためにＵＥ１１５がＣＣＡプロシージャを実行する、と仮定すること。参照数字７８０によって示されるように、免許不要ＲＦスペクトル帯域が引き続き利用可能である場合は、ＵＥ１１５は、アップリンク通信の本体を送信する前にＷｉ−ＦｉプリアンブルおよびＣＵＢＳを送信し得る。代替として、および、参照数字７８５によって示されるように、ＵＥ１１５は、（例えば、ＵＥ１１５によって決定された送信特徴に依存して）ＣＵＢＳを送信し得る。さらに加えて、または代替として、時分割複信（ＴＤＤ）プロシージャを実行するために７番目のサブフレームの一部分が基地局１０５によって使用され得る。
【０１０３】
[0113]参照数字７９０によって示されるように、Ｗｉ−Ｆｉプリアンブルおよび／またはＣＵＢＳを送信後、ＵＥ１１５は、アップリンク通信の本体を送信し得る。示されるように、ＵＥ１１５が２つのサブフレーム（例えば、サブフレーム１および２）の間にアップリンク通信の本体を送信する、と仮定すること。幾つかの態様において、基地局１０５は、ダウンリンク通信および／またはアップリンク通信のために使用されるサブフレームの数を調整し得、および、ＵＥ１１５にこの数を特定する情報を提供し得る。このように、基地局１０５およびＵＥ１１５は、トラフィック需要に依存して、高いアップリンクトラフィックおよび／または高いダウンリンクトラフィックを緩和するために免許不要ＲＦスペクトル帯域を利用し得る。
【０１０４】
[0114]参照数字７９５によって示されるように、浮動ＬＴＥサブフレーム（例えば、サブフレーム３）の１０番目のサブフレーム中に、免許不要ＲＦスペクトル帯域が依然として利用可能であるかどうかを決定するために基地局１０５がＣＣＡプロシージャを実行する、と仮定すること。免許不要ＲＦスペクトル帯域が引き続き利用可能である場合は、基地局１０５は、ダウンリンク通信の本体の次の部分を送信する前にＷｉ−ＦｉプリアンブルおよびＣＵＢＳを再送信する。１つのＬＴＥフレームごとに１回のように、ＣＣＡプロシージャを周期的に実行することによって、基地局１０５は、免許不要ＲＦスペクトル帯域へのアクセスのために競争する上での公平性を向上させ得る。
【０１０５】
[0115]上において示されるように、図７Ａおよび図７Ｂは、単に例として提供される。他の例が可能であり、および、図７Ａおよび図７Ｂに関して説明されたことと異なり得る。
【０１０６】
[0116]図８は、本開示の様々な態様による、検出された送信インジケータに基づいて免許不要ＲＦスペクトル帯域へのアクセスのために選択的に競争するおよび／または免許不要ＲＦスペクトル帯域を介して選択的に送信するためのプロセス例８００のフロー図である。幾つかの態様において、図８の１つまたは複数のプロセスブロックは、基地局１０５によって実行され得る。幾つかの態様において、図８の１つまたは複数のプロセスブロックは、ＵＥ１１５および／またはＷｉ−Ｆｉアクセスポイント１３５のように、基地局１０５と別個のまたは基地局１０５を含む別のデバイスまたはデバイスのグループによって実行され得る。
【０１０７】
[0117]図８において示されるように、プロセス８００は、第１の送信インジケータおよび／または第２の送信インジケータに関して免許不要ＲＦスペクトル帯域をモニタリングすることを含み得る（ブロック８１０）。例えば、基地局１０５は、免許不要ＲＦスペクトル帯域をモニタリングし得る。幾つかの態様において、基地局１０５は、（例えば、基地局１０５が免許不要ＲＦスペクトル帯域を介して送信中でないときに）第１の送信インジケータに関して免許不要ＲＦスペクトル帯域を連続的にモニタリングし得る。第１の送信インジケータは、Ｗｉ−Ｆｉ  ＲＡＴと関連させ得、および、第２の送信インジケータは、免許不要ＲＦスペクトル帯域においてデプロイされたＬＴＥ  ＲＡＴと関連させ得る。さらに加えて、または代替として、基地局１０５は、（例えば、サブフレーム中に）第１の送信インジケータに関して免許不要ＲＦスペクトル帯域を周期的にモニタリングし得る。幾つかの態様において、基地局１０５は、１つまたは複数の他の基地局１０５と交渉された期間中に免許不要ＲＦスペクトル帯域をモニタリングし得る。さらに加えて、または代替として、基地局１０５は、（例えば、クリアチャネルアセスメントプロシージャ中に）免許不要ＲＦスペクトル帯域が通信のために利用可能であるかどうかを決定するときに免許不要ＲＦスペクトル帯域をモニタリングし得る。
【０１０８】
[0118]幾つかの態様において、ＵＥ１１５は、（例えば、連続的に、周期的に、交渉された期間中に、免許不要ＲＦスペクトル帯域が通信のために利用可能であるかどうかを決定するときに、等）免許不要ＲＦスペクトル帯域をモニタリングし得る。幾つかの態様において、ＵＥ１１５は、低電力モード（例えば、節電モード、スリープモード、不連続的受信モード、等）にあるときに免許不要ＲＦスペクトル帯域をモニタリングし得る。このように、ＵＥ１１５は、免許不要ＲＦスペクトル帯域をモニタリングするときに電力を節約し得る。
【０１０９】
[0119]図８においてさらに示されるように、プロセス８００は、Ｗｉ−Ｆｉ無線アクセス技術と関連された第１の送信インジケータを検出することを含み得る（ブロック８２０）。例えば、基地局１０５（および／またはＵＥ１１５）は、第１の送信インジケータを検出し得る。第１の送信インジケータは、Ｗｉ−Ｆｉ  ＲＡＴと関連させ得る。例えば、第１の送信インジケータは、Ｗｉ−Ｆｉプリアンブルを含み得、上では図５に関連してより詳細に説明される。
【０１１０】
[0120]図８においてさらに示されるように、プロセス８００は、第１の送信インジケータを送信したソースデバイスのソースデバイスタイプを決定することを含み得る（ブロック８３０）。例えば、基地局１０５（および／またはＵＥ１１５）は、ソースデバイスのソースデバイスタイプを決定し得る。ソースデバイスは、第１の送信インジケータを送信したデバイスを含み得る。幾つかの態様において、ソースデバイスタイプは、Ｗｉ−Ｆｉアクセスポイント（例えば、Ｗｉ−Ｆｉアクセスポイント１３５および／またはＷｉ−Ｆｉ無線アクセス技術を使用して通信する別のデバイス）を含み得る。Ｗｉ−Ｆｉアクセスポイントは、第１の送信インジケータ（例えば、Ｗｉ−Ｆｉプリアンブル）を検出および／または復号することが可能である。幾つかの場合、Ｗｉ−Ｆｉアクセスポイントは、第２の送信インジケータ（例えば、ＣＵＢＳ）を検出および／または復号することが可能でない。
【０１１１】
[0121]さらに加えて、または代替として、ソースデバイスタイプは、ＬＴＥデバイスを含み得る。ＬＴＥデバイスは、免許不要ＲＦスペクトル帯域においてデプロイされたＬＴＥ  ＲＡＴを使用して通信するデバイスを意味し得る。ＬＴＥデバイスは、第２の送信インジケータ（例えば、ＣＵＢＳ）を検出および復号することが可能である。ＵＥ１１５および基地局１０５は、ＬＴＥデバイスの例である。
【０１１２】
[0122]幾つかの態様において、基地局１０５は、送信インジケータ（例えば、第１の送信インジケータおよび／または第２の送信インジケータ）内に含められたコンテンツに基づいてソースデバイスタイプを決定し得る。例えば、送信インジケータは、ソースデバイス識別子、ソースデバイスタイプインジケータ、無線アクセス技術タイプインジケータ、または同様の物を含み得る。基地局１０５は、ソースデバイスタイプを特定するためにこの情報を使用し得る。さらに加えて、または代替として、ブロック８４０に関連して以下において説明されるように、基地局１０５は、ソースデバイスタイプを決定するために第２の送信インジケータを使用し得る。
【０１１３】
[0123]図８においてさらに示されるように、プロセス８００は、ソースデバイスがＷｉ−ＦｉアクセスポイントであるかまたはＬＴＥデバイスであるかを決定することを含み得る（ブロック８４０）。例えば、基地局１０５（および／またはＵＥ１１５）は、第１の送信インジケータおよび／または第２の送信インジケータに基づいてソースデバイスがＷｉ−ＦｉアクセスポイントであるかまたはＬＴＥデバイスであるかを決定し得る。例えば、基地局１０５が、両方が同じソースデバイスを特定する第２の送信インジケータおよび第１の送信インジケータを受信した場合は、基地局１０５は、（例えば、ソースデバイスが免許不要ＲＦスペクトル帯域においてデプロイされたＬＴＥ  ＲＡＴを使用して通信中であることを示す第２の送信インジケータをソースデバイスが送信したため）ＬＴＥデバイスである決定し得る。
【０１１４】
[0124]別の例として、ソースデバイスは、第１の送信インジケータを送信した後に第２の送信インジケータを送信し得る。この場合、基地局１０５は、基地局１０５が第１の送信インジケータを検出した後のしきい期間内に第２の送信インジケータを検出した場合にソースデバイスがＬＴＥデバイスであると決定し得る。逆に、基地局１０５は、基地局１０５が第１の送信インジケータを検出した後のしきい期間内に第２の送信インジケータを検出しない場合にソースデバイスがＷｉ−Ｆｉアクセスポイントであると決定し得る。
【０１１５】
[0125]幾つかの態様において、ソースデバイスは、第２の送信インジケータ内において、ソースデバイスが第１の送信インジケータを送信したことを示すフラグを含み得る。この場合、基地局１０５がフラグを有する第２の送信インジケータを検出した場合は、基地局１０５は、ＬＴＥデバイスが第１の送信インジケータを送信したと決定し得る。幾つかの場合、ソースデバイスは、ソースデバイスが通信範囲内でいずれのＷｉ−Ｆｉアクセスポイント１３５も検出しないときは第１の送信インジケータを送信し得ない。この場合、ＵＥ１１５（および／または基地局１０５）がフラグなしの第２の送信インジケータを受信したときは、ＵＥ１１５は、Ｗｉ−Ｆｉアクセスポイントが第１の送信インジケータを送信したと決定し得る。
【０１１６】
[0126]幾つかの態様において、ソースデバイスは、通信構造の同じフィールドに第２の送信インジケータおよび第１の送信インジケータを含め得る。この場合は、基地局１０５は、両方の送信インジケータが同じフィールドに含まれるときにソースデバイスはＬＴＥデバイスであると決定し得る。逆に、基地局１０５は、第１の送信インジケータがフィールドに含まれる場合にソースデバイスがＷｉ−Ｆｉであると決定し得る。
【０１１７】
[0127]図８においてさらに示されるように、ソースデバイスがＷｉ−Ｆｉアクセスポイントである（ブロック８４０−ＷＩ−ＦＩ  ＡＰ）場合は、プロセス８００は、免許不要ＲＦスペクトル帯域へのアクセスのために競争するためにおよび／または免許不要ＲＦスペクトル帯域を介して送信するために待機することを含み得る（ブロック８５０）。例えば、ソースデバイスがＷｉ−Ｆｉアクセスポイントであると基地局１０５（および／またはＵＥ１１５）が決定した場合は、基地局１０５（および／またはＵＥ１１５）は、免許不要ＲＦスペクトル帯域へのアクセスのために競争するために待機し得る。幾つかの態様において、アクセスのために競争するために待機することは、クリアチャネルアセスメントプロシージャを停止する（例えば、免許不要ＲＦスペクトル帯域が通信のために利用可能であるかどうかを決定するためのプロシージャを停止する）ことを含み得る。さらに加えて、または代替として、アクセスのために競争するために待機することは、クリアチャネルアセスメントプロシージャを実行する前にある量の時間の間待機することを含み得る。幾つかの態様において、基地局１０５は、送信インジケータに含められた継続時間インジケータに基づいて時間の量を決定し得る。
【０１１８】
[0128]さらに加えて、または代替として、ソースデバイスがＷｉ−Ｆｉアクセスポイントであると基地局１０５（および／またはＵＥ１１５）が決定した場合は、基地局１０５（および／またはＵＥ１１５）は、免許不要ＲＦスペクトル帯域を介して送信し得ない、および／または、免許不要ＲＦスペクトル帯域を介して送信するために待機し得る。送信するために待機することは、免許不要ＲＦスペクトル帯域を介して通信を送信する前にある量の時間の間待機することを含み得る。幾つかの態様において、基地局１０５は、送信インジケータに含められた継続時間インジケータに基づいて時間の量を決定し得る。
【０１１９】
[0129]図８においてさらに示されるように、ソースデバイスがＬＴＥデバイス（ブロック８４０−ＬＴＥデバイス）である場合は、プロセス８００は、第１の送信インジケータと関連されたネットワークオペレータを決定すること（ブロック８６０）と、ネットワークオペレータに基づいて免許不要ＲＦスペクトル帯域へのアクセスのために選択的に競争するおよび／または免許不要ＲＦスペクトル帯域を介して選択的に送信することと、を含み得る（ブロック８７０）。例えば、ソースデバイスがＬＴＥデバイスであると基地局１０５（および／またはＵＥ１１５）が決定した場合は、基地局１０５（および／またはＵＥ１１５）は、第１の送信インジケータと関連されたネットワークオペレータを決定し得る。
【０１２０】
[0130]幾つかの態様において、基地局１０５は、送信インジケータに含められたコンテンツ（例えば、ネットワークオペレータ識別子、ソースデバイス識別子、ソースデバイスタイプインジケータ、等）に基づいてネットワークオペレータを決定し得る。例えば、送信インジケータ（例えば、第１の送信インジケータ、第２の送信インジケータ、等）は、送信インジケータと関連されたネットワークオペレータ（例えば、ソースデバイスを制御および／または管理するネットワークオペレータ）を特定するネットワークオペレータ識別子を含み得る。
【０１２１】
[0131]ネットワークオペレータに基づいて、基地局１０５は、免許不要ＲＦスペクトル帯域へのアクセスのために競争すべきかどうかを決定し得、免許不要ＲＦスペクトル帯域を介して送信すべきかどうかを決定し得、免許不要ＲＦスペクトル帯域へのアクセスのために競争するために待機すべきかどうかを決定し得、および／または、免許不要ＲＦスペクトル帯域を介して送信するために待機すべきかどうかを決定し得る。幾つかの態様において、基地局１０５は、基地局１０５と関連される第１のネットワークオペレータを決定し得、送信インジケータと関連された第２のネットワークオペレータを決定し得、および第１のネットワークオペレータおよび第２のネットワークオペレータを比較し得る。基地局１０５は、第１のネットワークオペレータが第２のネットワークオペレータと一致するときに（例えば、ネットワークオペレータが同じであるときに）免許不要ＲＦスペクトル帯域に関して第１の動作を行い得、および、第１のネットワークオペレータが第２のネットワークオペレータと一致しないときに（例えば、ネットワークオペレータが異なるときに）免許不要ＲＦスペクトル帯域に関して第２の異なる動作を行い得る。
【０１２２】
[0132]例えば、ネットワークオペレータが同じであるときには、基地局１０５は、免許不要ＲＦスペクトル帯域へのアクセスのために競争し得（例えば、クリアチャネルアセスメントプロシージャを実行するために待機し得ず）および／または免許不要ＲＦスペクトル帯域を介して送信し得る（例えば、待機し得ない）。この場合、基地局１０５は、別のネットワークオペレータに公平性を保証するために免許不要ＲＦスペクトル帯域から引き下がる必要がない。別の例として、ネットワークオペレータが異なるときは、基地局１０５は、免許不要ＲＦスペクトル帯域へのアクセスのために競争するために待機し得る（例えば、クリアチャネルアセスメントプロシージャを実行するために待機し得る）および／または免許不要ＲＦスペクトル帯域を介して送信するために待機し得る。この場合、基地局１０５は、別のネットワークオペレータに公平性を保証するために免許不要ＲＦスペクトル帯域から引き下がり得る。異なる通信が同じネットワークオペレータと関連されているときには、ネットワークオペレータは、干渉を低減させるために異なる通信を管理し得る。しかしながら、異なるネットワークオペレータの場合は、異なる通信を管理し得ないことがあり、従って、基地局１０５は、干渉を低減させるために引き下がり得る。
【０１２３】
[0133]幾つかの態様において、基地局１０５は、第１の送信インジケータと関連されたネットワークオペレータを決定し得ない。この場合、基地局１０５は、ソースデバイスがＬＴＥであると決定したことに基づいて、免許不要ＲＦスペクトル帯域に関してある動作をし得る（例えば、免許不要ＲＦスペクトル帯域へのアクセスのために競争し得る、免許不要ＲＦスペクトル帯域を介して送信し得る、免許不要ＲＦスペクトル帯域へのアクセスのために競争するために待機し得る、免許不要ＲＦスペクトル帯域を介して送信するために待機し得る、等）。一例として、基地局１０５は、ソースデバイスがＬＴＥデバイスであるときには、免許不要ＲＦスペクトル帯域へのアクセスのために競争するために待機し得ない、または、免許不要ＲＦスペクトル帯域を介して送信するために待機し得ない。このように、基地局１０５は、免許不要ＲＦスペクトル帯域への成功裏のコンテンションの可能性を高めるためにＬＴＥデバイスよりも少ないメカニズムを有し得るＷｉ−Ｆｉアクセスポイント１３５に公平性を保証し得る。
【０１２４】
[0134]幾つかの態様において、基地局１０５および／またはＵＥ１１５は、報告する側のデバイスに、免許不要ＲＦスペクトル帯域と関連された報告情報を提供し得る。報告情報は、例えば、エネルギーレベル検出に基づいて免許不要ＲＦスペクトル帯域が利用不能であると決定されたかどうか、送信インジケータ検出に基づいて免許不要ＲＦスペクトル帯域が利用不能であると決定されたかどうか、免許不要ＲＦスペクトル帯域に関するコンテンションが成功であったかどうか、または同様のことを含み得る。このように、報告情報は、免許不要ＲＦスペクトル帯域に関するコンテンションが実行される方法を改良するために使用され得る。
【０１２５】
[0135]幾つかのプロセスブロックは、基地局１０５によって実行されるとして上述される一方で、幾つかの態様では、ＵＥ１１５および／または別のＬＴＥデバイスがこれらのプロセスブロックを実行し得る。さらに、図８は、プロセス８００のブロック例を示すが、幾つかの態様では、プロセス８００は、図８において描かれるブロックの追加のブロック、より少ないブロック、異なるブロック、または異なる形で配置されたブロックを含み得る。さらに加えて、または代替として、プロセス８００のブロックのうちの２つ以上は、並行して実行され得る。
【０１２６】
[0136]図９Ａおよび図９Ｂは、本開示の様々な態様による、図８において示されるプロセス例８００に関連する例９００のイラストである。図９Ａおよび図９Ｂは、検出された第１の送信インジケータに基づいて免許不要ＲＦスペクトル帯域を介して選択的に送信する例を示す。
【０１２７】
[0137]図９Ａにおいておよび参照数字９１０によって示されるように、基地局１０５が免許不要ＲＦスペクトル帯域（例えば、免許不要５ＧＨｚ  ＲＦスペクトル帯域）をモニタリングする、と仮定すること。参照数字９２０によって示されるように、基地局１０５が免許不要ＲＦスペクトル帯域を介して送信されたＷｉ−Ｆｉプリアンブルを検出する、と仮定すること。参照数字９３０によって示されるように、Ｗｉ−Ｆｉプリアンブルに対応するＣＵＢＳを検出することなしにしきい時間量が経過したと基地局１０５が決定する、と仮定すること。この場合は、参照数字９４０によって示されるように、基地局１０５は、ソースデバイスがＷｉ−Ｆｉアクセスポイントであると決定する。
【０１２８】
[0138]図９Ｂにおいておよび参照数字９５０によって示されるように、Ｗｉ−ＦｉプリアンブルがＷｉ−Ｆｉプリアンブルと関連された通信に関する３０ミリ秒の継続時間を示す継続時間インジケータを含む、と仮定すること。参照数字９６０によって示されるように、継続時間インジケータに基づいて、および、ソースデバイスがＷｉ−Ｆｉアクセスポイントであると決定したことに基づいて、基地局１０５は、免許不要ＲＦスペクトル帯域を介して通信を送信する前に３０ミリ秒間待機する。参照数字９７０によって示されるように、３０ミリ秒が経過した後、基地局１０５がクリアチャネルアセスメントプロシージャを実行し、および免許不要ＲＦスペクトル帯域が通信のために利用可能であると決定する、と仮定すること。これに基づいて、基地局１０５は、免許不要ＲＦスペクトル帯域を介してＷｉ−Ｆｉプリアンブル、ＣＵＢＳ、および通信の本体を送信する。Ｗｉ−Ｆｉプリアンブルは、免許不要ＲＦスペクトル帯域が１つまたは複数のＷｉ−Ｆｉアクセスポイント１３５からの通信のために利用不能であると１つまたは複数のＷｉ−Ｆｉアクセスポイント１３５に通知する。このように、基地局１０５は、免許不要ＲＦスペクトル帯域を介して通信するために免許不要ＲＦスペクトル帯域においてデプロイされたＬＴＥ  ＲＡＴを使用するＬＴＥデバイス（例えば、基地局１０５、ＵＥ１１５、等）およびＷｉ−Ｆｉ  ＲＡＴを使用するＷｉ−Ｆｉアクセスポイント１３５による免許不要ＲＦスペクトル帯域の公平な利用を支援し得る。
【０１２９】
[0139]上において示されるように、図９Ａおよび図９Ｂは、単に例として提供される。他の例が可能であり、および、図９Ａおよび図９Ｂに関して説明されたものと異なり得る。
【０１３０】
[0140]図１０Ａおよび図１０Ｂは、本開示の様々な態様による、図８において示されるプロセス例８００に関連する別の例１０００のイラストである。図１０Ａおよび図１０Ｂは、検出された第１の送信インジケータに基づいて免許不要ＲＦスペクトル帯域を介して選択的に送信する別の例を示す。
【０１３１】
[0141]図１０Ａにおいておよび参照数字１０１０によって示されるように、基地局１０５が免許不要ＲＦスペクトル帯域（例えば、免許不要５ＧＨｚ  ＲＦスペクトル帯域）をモニタリングする、と仮定すること。参照数字１０２０によって示されるように、基地局１０５が免許不要ＲＦスペクトル帯域を介して送信されたＷｉ−Ｆｉプリアンブルを検出する、と仮定すること。参照数字１０３０によって示されるように、基地局１０５がＷｉ−Ｆｉプリアンブルに対応するＣＵＢＳを検出する、と仮定すること。この場合は、参照数字１０４０によって示されるように、基地局１０５は、ソースデバイスがＬＴＥデバイスであると決定する。
【０１３２】
[0142]図１０Ｂにおいておよび参照数字１０５０によって示されるように、Ｗｉ−ＦｉプリアンブルおよびＣＵＢＳを送信したソースデバイスが「ネットワークオペレータＡ」と関連されることを示すネットワークオペレータインジケータをＣＵＢＳが含む、と仮定すること。さらに、基地局１０５もネットワークオペレータＡと関連される、と仮定すること。参照数字１０６０によって示されるように、ソースデバイスおよび基地局１０５が同じネットワークオペレータと関連されると決定したことに基づいて（および／またはソースデバイスがＬＴＥデバイスであると決定したことに基づいて）、基地局１０５は、免許不要ＲＦスペクトル帯域を介して通信を送信するために待機しない。ソースデバイスと関連されたネットワークオペレータが異なるネットワークオペレータ（例えば、「ネットワークオペレータＢ」）であった場合は、基地局１０５は、免許不要ＲＦスペクトル帯域を介して送信するために待機し得ていた。このように、基地局１０５は、異なるネットワークオペレータによる免許不要ＲＦスペクトル帯域の公平な利用を支援し得る。
【０１３３】
[0143]上において示されるように、図１０Ａおよび図１０Ｂは、単に例として提供される。他の例が可能であり、および、図１０Ａおよび図１０Ｂに関して説明されたことと異なり得る。
【０１３４】
[0144]本明細書において説明される態様は、異なるタイプのデバイス（例えば、ＬＴＥデバイス、Ｗｉ−Ｆｉアクセスポイント、等）による、および異なるネットワークオペレータ間での免許不要ＲＦスペクトル帯域の公平な利用を支援する。免許不要ＲＦスペクトル帯域を使用するときに第１の送信インジケータを送信することによって、ＬＴＥデバイス（例えば、ＵＥ、ｅＮｏｄｅＢ、等）は、Ｗｉ−Ｆｉアクセスポイントによる免許不要ＲＦスペクトル帯域へのアクセスの公平性を向上させ得る。
【０１３５】
[0145]上記は、例示および説明を提供するが、包括的であることまたは開示される正確な形に態様を限定することは意図されない。上記の開示に鑑みて変更および変形が可能であり、または、変更および変形が態様の実行から獲得され得る。
【０１３６】
[0146]本明細書において使用される場合、用語コンポーネントは、ハードウェア、ファームウェア、および／またはハードウェアとソフトウェアの組み合わせとして広義に解釈されるべきであることが意図される。
【０１３７】
[0147]幾つかの態様は、本明細書では、しきい値に関連させて説明される。本明細書において使用される場合、しきい値を満たすことは、ある値がしきい値よりも大きいこと、しきい値よりも多いこと、しきい値よりも高いこと、しきい値以上であること、しきい値よりも小さいこと、しきい値よりも少ないこと、しきい値よりも低いこと、しきい値以下であること、しきい値と等しいこと、等を意味し得る。
【０１３８】
[0148]本明細書において説明される技法は、異なる形態のハードウェア、ファームウェア、またはハードウェアとソフトウェアの組み合わせにおいて実装され得ることが明らかになるであろう。これらの技法を実装するために使用される実際の専用化された制御ハードウェアまたはソフトウェアコードは、態様を制限しない。従って、技法の動作および挙動は、本明細書では、特定のソフトウェアコードに関連させずに説明され、ソフトウェアおよびハードウェアは、本明細書における説明に基づいて技法を実装するように設計されることができることが理解される。
【０１３９】
[0149]特徴の組み合わせが請求項において記載されおよび／または本明細書において開示されているが、これらの組み合わせは、可能な態様の開示を制限することは意図されない。実際、これらの特徴の多くは、請求項において具体的に記載されないおよび／または本明細書において開示されない形で組み合わせられ得る。以下において示される各々の依存した請求項は、直接的には１つの請求項のみに依存するが、可能な態様の開示は、請求項の組内のすべての他の請求項と組み合わせた各々の依存する請求項を含む。
【０１４０】
[0150]本明細書において使用されるいずれの要素、動作、および命令も、そのように明示されないかぎり極めて重要であるまたは不可欠であるとは解釈されるべきでない。さらに、本明細書において使用され場合、冠詞「ａ」および「ａｎ」は、１つまたは複数のアイテムを含むことが意図され、「１つまたは複数の」と互換可能な形で使用され得る。さらに、本明細書において使用される場合、用語「組」は、１つまたは複数のアイテムを含むことが意図され、「１つまたは複数の」と互換可能な形で使用され得る。１つのみのアイテムが意図される場合は、用語「１つの」または同様の言葉が使用される。さらに、本明細書において使用される場合、用語「有する」（「ｈａｓ」、「ｈａｖｅ」、「ｈａｖｉｎｇ」）または同様の物は、制限のない自由な用語であることが意図される。さらに、句「〜に基づいて」は、別の明示がないかぎり、「少なくとも部分的に〜に基づいて」を意味することが意図される。
【図１】
2019092199.tif 000003
【図２】
2019092199.tif 000004
【図３】
2019092199.tif 000005
【図４Ａ】
2019092199.tif 000006
【図４Ｂ】
2019092199.tif 000007
【図５】
2019092199.tif 000008
【図６Ａ】
2019092199.tif 000009
【図６Ｂ】
2019092199.tif 000010
【図７Ａ】
2019092199.tif 000011
【図７Ｂ】
2019092199.tif 000012
【図８】
2019092199.tif 000013
【図９Ａ】
2019092199.tif 000014
【図９Ｂ】
2019092199.tif 000015
【図１０Ａ】
2019092199.tif 000016
【図１０Ｂ】
2019092199.tif 000017
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
デバイスによって、免許不要無線周波数スペクトル帯域での通信を検出すること、
ここにおいて、前記通信は、第１の無線アクセス技術と関連された第１の送信インジケータを含み、
ここにおいて、前記デバイスは、前記免許不要無線周波数スペクトル帯域を介して通信するために第２の無線アクセス技術を使用する、と、
前記デバイスによっておよび前記第１の送信インジケータに基づいて、前記免許不要無線周波数スペクトル帯域で前記通信を送信したソースデバイスのソースデバイスタイプを決定することと、
前記ソースデバイスタイプに基づいて、前記デバイスによって、前記免許不要無線周波数スペクトル帯域へのアクセスのために選択的に競争するかまたは、前記デバイスによって、前記免許不要無線周波数スペクトル帯域を介して選択的に送信することと、
を備える、ワイヤレス通信のための方法。
【請求項２】
前記ソースデバイスと関連された第１のネットワークオペレータは、前記デバイスと関連された第２のネットワークオペレータと異なるネットワークオペレータであると決定することをさらに備え、
ここにおいて、前記ソースデバイスタイプに基づいて前記免許不要無線周波数スペクトル帯域へのアクセスのために選択的に競争することまたは前記免許不要無線周波数スペクトル帯域を介して選択的に送信することは、
前記第１のネットワークオペレータが前記第２のネットワークオペレータと前記異なるネットワークオペレータであるとの前記決定に少なくとも部分的に基づいて前記免許不要無線周波数スペクトル帯域へのアクセスのために競争するかまたは前記免許不要無線周波数スペクトル帯域を介して送信するためにある量の時間の間待機することを備える、
請求項１に記載の方法。
【請求項３】
前記ソースデバイスと関連された第１のネットワークオペレータは、前記デバイスと関連された第２のネットワークオペレータと同じネットワークオペレータであると決定することをさらに備え、
ここにおいて、前記ソースデバイスタイプに基づいて前記免許不要無線周波数スペクトル帯域へのアクセスのために選択的に競争することまたは前記免許不要無線周波数スペクトル帯域を介して選択的に送信することは、
前記第１のネットワークオペレータが前記第２のネットワークオペレータと前記同じネットワークオペレータであるとの前記決定に少なくとも部分的に基づいて、前記免許不要無線周波数スペクトル帯域へのアクセスのために競争するかまたは前記免許不要無線周波数スペクトル帯域を介して送信するためにある量の時間の間待機することなしに、前記免許不要無線周波数スペクトル帯域へのアクセスのために競争することまたは前記免許不要無線周波数スペクトル帯域を介して送信することを備える、
請求項１に記載の方法。
【請求項４】
前記デバイスは、基地局またはユーザ機器のうちの少なくとも１つを含む、
請求項１に記載の方法。
【請求項５】
前記免許不要無線周波数スペクトル帯域へのアクセスのために選択的に競争することまたは前記免許不要無線周波数スペクトル帯域を介して選択的に送信することは、
前記ソースデバイスがＷｉ−Ｆｉアクセスポイントであることを前記ソースデバイスタイプが示すときにある量の時間の間前記免許不要無線周波数スペクトル帯域へのアクセスのために競争するために待機することまたは前記免許不要無線周波数スペクトル帯域を介して送信するために待機することを備える、
請求項１に記載の方法。
【請求項６】
前記第１の送信インジケータに含められた継続時間インジケータを検出することをさらに備え、
前記継続時間インジケータは、前記免許不要無線周波数スペクトル帯域での前記通信のある量の時間を示し、
ここにおいて、前記免許不要無線周波数スペクトル帯域へのアクセスのために選択的に競争することまたは前記免許不要無線周波数スペクトル帯域を介して選択的に送信することは、
前記継続時間インジケータによって示される前記量の時間の間前記免許不要無線周波数スペクトル帯域へのアクセスのために競争するために待機することまたは前記免許不要無線周波数スペクトル帯域を介して送信するために待機することを備える、
請求項１に記載の方法。
【請求項７】
前記免許不要無線周波数スペクトル帯域へのアクセスのために選択的に競争することまたは前記免許不要無線周波数スペクトル帯域を介して選択的に送信することは、
前記ソースデバイスが前記免許不要無線周波数スペクトル帯域においてデプロイされたロングタームエボリューション（ＬＴＥ）無線アクセス技術を使用するデバイスのタイプであることを前記ソースデバイスタイプが示すときに前記免許不要無線周波数スペクトル帯域へのアクセスのために競争することまたは前記免許不要無線周波数スペクトル帯域を介して送信することを備える、
請求項１に記載の方法。
【請求項８】
前記第２の無線アクセス技術と関連された第２の送信インジケータを検出することをさらに備え、
ここにおいて、前記ソースデバイスタイプを決定することは、
前記ソースデバイスが前記免許不要無線周波数スペクトル帯域においてデプロイされたロングタームエボリューション（ＬＴＥ）無線アクセス技術を使用するデバイスのタイプであることを前記ソースデバイスタイプが示すと決定することを備える、
請求項１に記載の方法。
【請求項９】
前記第２の送信インジケータは、前記第１の送信インジケータが前記ソースデバイスと関連されるとの指示を含み、
ここにおいて、前記ソースデバイスタイプを決定することは、
前記第１の送信インジケータが前記ソースデバイスと関連されるとの前記指示に基づいて前記ソースデバイスタイプは前記免許不要無線周波数スペクトル帯域においてデプロイされた前記ＬＴＥ無線アクセス技術を使用するデバイスのタイプであると決定することを備える、
請求項８に記載の方法。
【請求項１０】
前記第２の送信インジケータは、チャネル使用ビーコンシンボルを含み、
ここにおいて、前記第２の無線アクセス技術は、前記免許不要無線周波数スペクトル帯域においてデプロイされた前記ＬＴＥ無線アクセス技術である、
請求項８に記載の方法。
【請求項１１】
前記第１の送信インジケータを検出して以降に、前記第２の無線アクセス技術と関連された第２の送信インジケータを検出することなしにある量の時間が経過したと決定することをさらに備え、
ここにおいて、前記ソースデバイスタイプを決定することは、
前記第２の送信インジケータを検出することなしに前記量の時間が経過したと決定したことに基づいて前記ソースデバイスがＷｉ−Ｆｉアクセスポイントであることを前記ソースデバイスタイプが示すと決定することを備える、
請求項１に記載の方法。
【請求項１２】
前記ソースデバイスタイプが前記免許不要無線周波数スペクトル帯域においてデプロイされたロングタームエボリューション（ＬＴＥ）無線アクセス技術を使用するデバイスのタイプであることを前記第１の送信インジケータと関連された第２の送信インジケータが示すかどうかを決定することをさらに備え、
ここにおいて、前記ソースデバイスタイプを決定することは、
前記ソースデバイスタイプが前記免許不要無線周波数スペクトル帯域においてデプロイされた前記ＬＴＥ無線アクセス技術を使用するデバイスの前記タイプであることを前記第２の送信インジケータが示すかどうかを決定することに基づいて前記ソースデバイスタイプが前記免許不要無線周波数スペクトル帯域においてデプロイされた前記ＬＴＥ無線アクセス技術を使用するデバイスの前記タイプであると決定することを備える、
請求項１に記載の方法。
【請求項１３】
前記第１の送信インジケータは、Ｗｉ−Ｆｉプリアンブルを含む、
請求項１に記載の方法。
【請求項１４】
前記免許不要無線周波数スペクトル帯域へのアクセスのために選択的に競争することまたは前記免許不要無線周波数スペクトル帯域を介して選択的に送信することは、
前記ソースデバイスタイプが第１のソースデバイスタイプであるときに前記免許不要無線周波数スペクトル帯域へのアクセスのために競争するためにクリアチャネルアセスメント（ＣＣＡ）プロシージャを実行すること、または、
前記ソースデバイスタイプが第２のソースデバイスタイプであるときに前記ＣＣＡプロシージャが実行されるのを防止することまたは前記ＣＣＡプロシージャを実行するために待機すること、を備える、
請求項１に記載の方法。
【請求項１５】
前記免許不要無線周波数スペクトル帯域へのアクセスのために選択的に競争することまたは前記免許不要無線周波数スペクトル帯域を介して選択的に送信することは、
前記ソースデバイスタイプが第１のソースデバイスタイプであるときに前記免許不要無線周波数スペクトル帯域を介して送信すること、または、
前記ソースデバイスタイプが第２のソースデバイスタイプであるときに前記免許不要無線周波数スペクトル帯域を介しての送信を防止することまたは前記免許不要無線周波数スペクトル帯域を介して送信するために待機すること、を備える、
請求項１に記載の方法。
【請求項１６】
ワイヤレス通信のための装置であって、
プロセッサと、
前記プロセッサと電子通信状態にあるメモリと、
を備え、前記プロセッサおよび前記メモリは、
免許不要無線周波数スペクトル帯域での通信を検出すること、
ここにおいて、前記通信は、第１の無線アクセス技術と関連された第１の送信インジケータを含み、
ここにおいて、前記装置は、前記免許不要無線周波数スペクトル帯域を介して通信するために第２の無線アクセス技術を使用する、と、
前記第１の送信インジケータに基づいて、前記免許不要無線周波数スペクトル帯域で前記通信を送信したソースデバイスのソースデバイスタイプを決定することと、
前記ソースデバイスタイプに基づいて前記免許不要無線周波数スペクトル帯域へのアクセスのために選択的に競争することまたは前記免許不要無線周波数スペクトル帯域を介して選択的に送信することと、
を行うように構成される、ワイヤレス通信のための装置。
【請求項１７】
前記プロセッサおよび前記メモリは、
前記ソースデバイスと関連された第１のネットワークオペレータが前記装置と関連された第２のネットワークオペレータと同じネットワークオペレータであるどうかを決定するようにさらに構成され、
ここにおいて、前記ソースデバイスタイプに基づいて前記免許不要無線周波数スペクトル帯域へのアクセスのために選択的に競争することまたは前記免許不要無線周波数スペクトル帯域を介して選択的に送信することは、
前記第１のネットワークオペレータが前記第２のネットワークオペレータと前記同じネットワークオペレータでないとの決定に少なくとも部分的に基づいて前記免許不要無線周波数スペクトル帯域へのアクセスのために競争するかまたは前記免許不要無線周波数スペクトル帯域を介して送信するためにある量の時間の間待機すること、または、
前記第１のネットワークオペレータが前記第２のネットワークオペレータと前記同じネットワークオペレータであるとの前記決定に少なくとも部分的に基づいて、前記量の時間の間待機することなしに、前記免許不要無線周波数スペクトル帯域へのアクセスのために競争することまたは前記免許不要無線周波数スペクトル帯域を介して送信すること、を備える、
請求項１６に記載の装置。
【請求項１８】
前記免許不要無線周波数スペクトル帯域へのアクセスのために選択的に競争することまたは前記免許不要無線周波数スペクトル帯域を介して選択的に送信することは、
前記ソースデバイスがＷｉ−Ｆｉアクセスポイントであることを前記ソースデバイスタイプが示すときにある量の時間の間前記免許不要無線周波数スペクトル帯域へのアクセスのために競争するために待機することまたは前記免許不要無線周波数スペクトル帯域を介して送信するために待機することを備える、
請求項１６に記載の装置。
【請求項１９】
ワイヤレス通信のための装置であって、
免許不要無線周波数スペクトル帯域での通信を検出するための手段、
ここにおいて、前記通信は、第１の無線アクセス技術と関連された第１の送信インジケータを含み、
ここにおいて、前記装置は、前記免許不要無線周波数スペクトル帯域を介して通信するために第２の無線アクセス技術を使用する、と、
前記第１の送信インジケータに基づいて、前記免許不要無線周波数スペクトル帯域で前記通信を送信したソースデバイスのソースデバイスタイプを決定するための手段と、
前記ソースデバイスタイプに基づいて前記免許不要無線周波数スペクトル帯域へのアクセスのために選択的に競争するための手段または前記免許不要無線周波数スペクトル帯域を介して選択的に送信するための手段と、
を備える、ワイヤレス通信のための装置。
【請求項２０】
前記ソースデバイスと関連された第１のネットワークオペレータが前記装置と関連された第２のネットワークオペレータと同じネットワークオペレータであるどうかを決定するための手段をさらに備え、
ここにおいて、前記ソースデバイスタイプに基づいて前記免許不要無線周波数スペクトル帯域へのアクセスのために選択的に競争するための前記手段または前記免許不要無線周波数スペクトル帯域を介して選択的に送信するための前記手段は、
前記第１のネットワークオペレータが前記第２のネットワークオペレータと前記同じネットワークオペレータでないとの決定に少なくとも部分的に基づいて前記免許不要無線周波数スペクトル帯域へのアクセスのために競争するかまたは前記免許不要無線周波数スペクトル帯域を介して送信するためにある量の時間の間待機するための手段、または、
前記第１のネットワークオペレータが前記第２のネットワークオペレータと前記同じネットワークオペレータであるとの前記決定に少なくとも部分的に基づいて、前記量の時間の間待機することなしに、前記免許不要無線周波数スペクトル帯域へのアクセスのために競争するための手段または前記免許不要無線周波数スペクトル帯域を介して送信するための手段、を備える、
請求項１９に記載の装置。
【手続補正２】
【補正対象書類名】明細書
【補正対象項目名】０１４０
【補正方法】変更
【補正の内容】
【０１４０】
[0150]本明細書において使用されるいずれの要素、動作、および命令も、そのように明示されないかぎり極めて重要であるまたは不可欠であるとは解釈されるべきでない。さらに、本明細書において使用され場合、冠詞「ａ」および「ａｎ」は、１つまたは複数のアイテムを含むことが意図され、「１つまたは複数の」と互換可能な形で使用され得る。さらに、本明細書において使用される場合、用語「組」は、１つまたは複数のアイテムを含むことが意図され、「１つまたは複数の」と互換可能な形で使用され得る。１つのみのアイテムが意図される場合は、用語「１つの」または同様の言葉が使用される。さらに、本明細書において使用される場合、用語「有する」（「ｈａｓ」、「ｈａｖｅ」、「ｈａｖｉｎｇ」）または同様の物は、制限のない自由な用語であることが意図される。さらに、句「〜に基づいて」は、別の明示がないかぎり、「少なくとも部分的に〜に基づいて」を意味することが意図される。
以下に本願の出願当初の特許請求の範囲に記載された発明を付記する。
［Ｃ１］
ワイヤレス通信のための方法であって、
デバイスによって、免許不要無線周波数スペクトル帯域が通信のために利用可能であると決定することと、
前記デバイスによっておよび前記免許不要無線周波数スペクトル帯域が前記通信のために利用可能であると決定したことに基づいて、前記デバイスが前記免許不要無線周波数スペクトル帯域を介して情報を送信中であることを示す第１の送信インジケータを送信すること、
ここにおいて、前記第１の送信インジケータは、第１の無線アクセス技術と関連される、と、
前記デバイスによっておよび前記免許不要免許不要無線周波数スペクトル帯域が前記通信のために利用可能であると決定したことに基づいて、前記デバイスが前記免許不要無線周波数スペクトル帯域を介して情報を送信中であることを示す第２の送信インジケータを送信すること、
ここにおいて、前記第２の送信インジケータは、前記第１の無線アクセス技術と異なる第２の無線アクセス技術と関連される、と、を備える、ワイヤレス通信のための方法。
［Ｃ２］
前記第１の送信インジケータを送信することは、
前記免許不要無線周波数スペクトル帯域を介して前記第１の送信インジケータを送信することを備え、
ここにおいて、前記第２の送信インジケータを送信することは、
前記免許不要無線周波数スペクトル帯域を介して前記第２の送信インジケータを送信することを備える、
Ｃ１に記載の方法。
［Ｃ３］
前記第１の送信インジケータは、Ｗｉ−Ｆｉプリアンブルを含み、
ここにおいて、前記第１の無線アクセス技術は、Ｗｉ−Ｆｉ無線アクセス技術を含み、
ここにおいて、前記第２の送信インジケータは、チャネル使用ビーコンシンボルを含み、および、
ここにおいて、前記第２の無線アクセス技術は、前記免許不要無線周波数スペクトル帯域においてデプロイされたロングタームエボリューション（ＬＴＥ）無線アクセス技術を含む、
Ｃ１に記載の方法。
［Ｃ４］
前記第１の送信インジケータを送信することおよび前記第２の送信インジケータを送信することは、
通信構造に前記Ｗｉ−Ｆｉプリアンブルおよび前記チャネル使用ビーコンシンボルを含めること、
前記Ｗｉ−Ｆｉプリアンブルは、前記通信構造の第１のフィールドに含められ、      前記チャネル使用ビーコンシンボルは、前記通信構造の第２のフィールドに含められ、
前記第１のフィールドは、前記第２のフィールドに先行する、と、
前記通信構造を使用して前記第１の送信インジケータおよび前記第２の送信インジケータを送信することと、を備える、
Ｃ３に記載の方法。
［Ｃ５］
前記第１の送信インジケータを送信することおよび前記第２の送信インジケータを送信することは、
通信構造に前記Ｗｉ−Ｆｉプリアンブルおよび前記チャネル使用ビーコンシンボルを含めること、
前記Ｗｉ−Ｆｉプリアンブルは、前記通信構造の第１のフィールドに含められ、      前記チャネル使用ビーコンシンボルは、前記通信構造の第２のフィールドに含められ、
前記第２のフィールドは、前記第１のフィールドに先行する、と、
前記通信構造を使用して前記第１の送信インジケータおよび前記第２の送信インジケータを送信することと、を備える、
Ｃ３に記載の方法。
［Ｃ６］
前記第１の送信インジケータを送信することおよび前記第２の送信インジケータを送信することは、
通信構造の同じフィールドに前記Ｗｉ−Ｆｉプリアンブルおよび前記チャネル使用ビーコンシンボルを含めることと、
前記通信構造を使用して前記第１の送信インジケータおよび前記第２の送信インジケータを送信することと、を備える、
Ｃ３に記載の方法。
［Ｃ７］
前記第１の送信インジケータは、前記第２の送信インジケータ内に埋め込まれる、
Ｃ１に記載の方法。
［Ｃ８］
前記免許不要無線周波数スペクトル帯域が前記通信のために利用可能であると決定することは、
クリアチャネルアセスメント（ＣＣＡ）プロシージャを実行することと、
前記ＣＣＡプロシージャを実行することに基づいて前記免許不要無線周波数スペクトル帯域が前記通信のために利用可能であると決定することと、を備える、
Ｃ１に記載の方法。
［Ｃ９］
前記デバイスは、基地局またはユーザ機器のうちの少なくとも１つを含む、
Ｃ１に記載の方法。
［Ｃ１０］
前記第１の送信インジケータは、Ｗｉ−Ｆｉプリアンブルを含み、
ここにおいて、前記Ｗｉ−Ｆｉプリアンブルは、
前記デバイスを特定するソース識別子、または、
前記デバイスが前記前記免許不要無線周波数スペクトル帯域においてデプロイされたロングタームエボリューション（ＬＴＥ）無線アクセス技術を使用して信号を送信することが可能であることを示す無線アクセス技術インジケータのうちの少なくとも１つを含む、
Ｃ１に記載の方法。
［Ｃ１１］
前記デバイスの通信範囲内のＷｉ−Ｆｉアクセスポイントと関連されたＷｉ−Ｆｉプロトコルを決定することと、
前記Ｗｉ−Ｆｉプロトコルに基づいて前記第１の送信インジケータを生成することと、をさらに備える、
Ｃ１に記載の方法。
［Ｃ１２］
前記第１の送信インジケータは、Ｗｉ−Ｆｉプリアンブルを含み、
ここにおいて、前記Ｗｉ−Ｆｉプリアンブルは、前記通信の継続時間を示す継続時間インジケータを含み、および、
ここにおいて、前記第２の送信インジケータは、前記第１の送信インジケータが送信されたことの指示を含む、
Ｃ１に記載の方法。
［Ｃ１３］
ワイヤレス通信のための方法であって、
デバイスによって、免許不要無線周波数スペクトル帯域での通信を検出すること、
ここにおいて、前記通信は、第１の無線アクセス技術と関連された第１の送信インジケータを含み、
ここにおいて、前記デバイスは、前記免許不要無線周波数スペクトル帯域を介して通信するために第２の無線アクセス技術を使用する、と、
前記デバイスによっておよび前記第１の送信インジケータに基づいて、前記免許不要無線周波数スペクトル帯域で前記通信を送信したソースデバイスのソースデバイスタイプを決定することと、
前記ソースデバイスタイプに基づいて、前記デバイスによって、前記免許不要無線周波数スペクトル帯域へのアクセスのために選択的に競争するかまたは、前記デバイスによって、前記免許不要無線周波数スペクトル帯域を介して選択的に送信することと、を備える、ワイヤレス通信のための方法。
［Ｃ１４］
前記ソースデバイスと関連された第１のネットワークオペレータは、前記デバイスと関連された第２のネットワークオペレータと異なるネットワークオペレータであると決定することをさらに備え、
ここにおいて、前記ソースデバイスタイプに基づいて前記前記免許不要無線周波数スペクトル帯域へのアクセスのために選択的に競争することまたは前記免許不要無線周波数スペクトル帯域を介して選択的に送信することは、
前記第１のネットワークオペレータが前記第２のネットワークオペレータと前記異なるネットワークオペレータであるとの前記決定に少なくとも部分的に基づいて前記免許不要無線周波数スペクトル帯域へのアクセスのために競争するかまたは前記免許不要無線周波数スペクトル帯域を介して送信するためにある量の時間の間待機することを備える、
Ｃ１３に記載の方法。
［Ｃ１５］
前記ソースデバイスと関連された第１のネットワークオペレータは、前記デバイスと関連された第２のネットワークオペレータと同じネットワークオペレータであると決定することをさらに備え、
ここにおいて、前記ソースデバイスタイプに基づいて前記免許不要無線周波数スペクトル帯域へのアクセスのために選択的に競争することまたは前記免許不要無線周波数スペクトル帯域を介して選択的に送信することは、
前記第１のネットワークオペレータが前記第２のネットワークオペレータと前記同じネットワークオペレータであるとの前記決定に少なくとも部分的に基づいて、前記免許不要無線周波数スペクトル帯域へのアクセスのために競争するかまたは前記免許不要無線周波数スペクトル帯域を介して送信するためにある量の時間の間待機することなしに、前記免許不要無線周波数スペクトル帯域へのアクセスのために競争することまたは前記免許不要無線周波数スペクトル帯域を介して送信することを備える、
Ｃ１３に記載の方法。
［Ｃ１６］
前記デバイスは、基地局またはユーザ機器のうちの少なくとも１つを含む、
Ｃ１３に記載の方法。
［Ｃ１７］
前記免許不要無線周波数スペクトル帯域へのアクセスのために選択的に競争することまたは前記免許不要無線周波数スペクトル帯域を介して選択的に送信することは、
前記ソースデバイスがＷｉ−Ｆｉアクセスポイントであることを前記ソースデバイスタイプが示すときにある量の時間の間前記免許不要無線周波数スペクトル帯域へのアクセスのために競争するために待機することまたは前記免許不要無線周波数スペクトル帯域を介して送信するために待機することを備える、
Ｃ１３に記載の方法。
［Ｃ１８］
前記第１の送信インジケータに含められた継続時間インジケータを検出することをさらに備え、
前記継続時間インジケータは、前記免許不要無線周波数スペクトル帯域での前記通信のある量の時間を示し、
ここにおいて、前記免許不要無線周波数スペクトル帯域へのアクセスのために選択的に競争することまたは前記免許不要無線周波数スペクトル帯域を介して選択的に送信することは、
前記継続時間インジケータによって示される前記量の時間の間前記免許不要無線周波数スペクトル帯域へのアクセスのために競争するために待機することまたは前記免許不要無線周波数スペクトル帯域を介して送信するために待機することを備える、
Ｃ１３に記載の方法。
［Ｃ１９］
前記免許不要無線周波数スペクトル帯域へのアクセスのために選択的に競争することまたは前記免許不要無線周波数スペクトル帯域を介して選択的に送信することは、
前記ソースデバイスが前記免許不要無線周波数スペクトル帯域においてデプロイされたロングタームエボリューション（ＬＴＥ）無線アクセス技術を使用するデバイスのタイプであることを前記ソースデバイスタイプが示すときに前記免許不要無線周波数スペクトル帯域へのアクセスのために競争することまたは前記免許不要無線周波数スペクトル帯域を介して送信することを備える、
Ｃ１３に記載の方法。
［Ｃ２０］
前記第２の無線アクセス技術と関連された第２の送信インジケータを検出することをさらに備え、
ここにおいて、前記ソースデバイスタイプを決定することは、
前記ソースデバイスが前記免許不要無線周波数スペクトル帯域においてデプロイされたロングタームエボリューション（ＬＴＥ）無線アクセス技術を使用するデバイスのタイプであることを前記ソースデバイスタイプが示す
と決定することを備える、
Ｃ１３に記載の方法。
［Ｃ２１］
前記第２の送信インジケータは、前記第１の送信インジケータが前記ソースデバイスと関連されるとの指示を含み、
ここにおいて、前記ソースデバイスタイプを決定することは、
前記第１の送信インジケータが前記ソースデバイスと関連されるとの前記指示に基づいて前記ソースデバイスタイプは前記免許不要無線周波数スペクトル帯域においてデプロイされた前記ＬＴＥ無線アクセス技術を使用するデバイスのタイプであると決定することを備える、
Ｃ２０に記載の方法。
［Ｃ２２］
前記第２の送信インジケータは、チャネル使用ビーコンシンボルを含み、
ここにおいて、前記第２の無線アクセス技術は、前記免許不要無線周波数スペクトル帯域においてデプロイされた前記ＬＴＥ無線アクセス技術である、
Ｃ２０に記載の方法。
［Ｃ２３］
前記第１の送信インジケータを検出して以降に、前記第２の無線アクセス技術と関連された第２の送信インジケータを検出することなしにある量の時間が経過したと決定することをさらに備え、および、
ここにおいて、前記ソースデバイスタイプを決定することは、
前記第２の送信インジケータを検出することなしに前記量の時間が経過したと決定したことに基づいて前記ソースデバイスがＷｉ−Ｆｉアクセスポイントであることを前記ソースデバイスタイプが示すと決定することを備える、
Ｃ１３に記載の方法。
［Ｃ２４］
前記ソースデバイスタイプが前記免許不要無線周波数スペクトル帯域においてデプロイされたロングタームエボリューション（ＬＴＥ）無線アクセス技術を使用するデバイスのタイプであることを前記第１の送信インジケータと関連された第２の送信インジケータが示すかどうかを決定することをさらに備え、および、
ここにおいて、前記ソースデバイスタイプを決定することは、
前記ソースデバイスタイプが前記免許不要無線周波数スペクトル帯域においてデプロイされた前記ＬＴＥ無線アクセス技術を使用するデバイスの前記タイプであることを前記第２の送信インジケータが示すかどうかを決定することに基づいて前記ソースデバイスタイプが前記免許不要無線周波数スペクトル帯域においてデプロイされた前記ＬＴＥ無線アクセス技術を使用するデバイスの前記タイプであると決定することを備える、
Ｃ１３に記載の方法。
［Ｃ２５］
前記第１の送信インジケータは、Ｗｉ−Ｆｉプリアンブルを含む、
Ｃ１３に記載の方法。
［Ｃ２６］
前記免許不要無線周波数スペクトル帯域へのアクセスのために選択的に競争することまたは前記免許不要無線周波数スペクトル帯域を介して選択的に送信することは、
前記ソースデバイスタイプが第１のソースデバイスタイプであるときに前記免許不要無線周波数スペクトル帯域へのアクセスのために競争するためにクリアチャネルアセスメント（ＣＣＡ）プロシージャを実行すること、または、
前記ソースデバイスタイプが第２のソースデバイスタイプであるときに前記ＣＣＡプロシージャが実行されるのを防止することまたは前記ＣＣＡプロシージャを実行するために待機すること、を備える、
Ｃ１３に記載の方法。
［Ｃ２７］
前記免許不要無線周波数スペクトル帯域へのアクセスのために選択的に競争することまたは前記免許不要無線周波数スペクトル帯域を介して選択的に送信することは、
前記ソースデバイスタイプが第１のソースデバイスタイプであるときに前記免許不要無線周波数スペクトル帯域を介して送信すること、または、
前記ソースデバイスタイプが第２のソースデバイスタイプであるときに前記免許不要無線周波数スペクトル帯域を介しての送信を防止することまたは前記免許不要無線周波数スペクトル帯域を介して送信するために待機すること、を備える、
Ｃ１３に記載の方法。
［Ｃ２８］
ワイヤレス通信のための装置であって、
免許不要無線周波数スペクトル帯域が通信のために利用可能であると決定するための手段と、
前記免許不要無線周波数スペクトル帯域が前記通信のために利用可能であると決定したことに基づいて、前記装置が前記免許不要無線周波数スペクトル帯域を介して情報を送信中であることを示す第１の送信インジケータを送信するための手段、
ここにおいて、前記第１の送信インジケータは、第１の無線アクセス技術と関連される、と、
前記免許不要無線周波数スペクトル帯域が前記通信のために利用可能であると決定したことに基づいて、前記装置が前記免許不要無線周波数スペクトル帯域を介して情報を送信中であることを示す第２の送信インジケータを送信するための手段、
ここにおいて、前記第２の送信インジケータは、前記第１の無線アクセス技術と異なる第２の無線アクセス技術と関連される、と、を備える、ワイヤレス通信のための装置。
［Ｃ２９］
ワイヤレス通信のための装置であって、
免許不要無線周波数スペクトル帯域での通信を検出するための手段、
ここにおいて、前記通信は、第１の無線アクセス技術と関連された第１の送信インジケータを含み、
ここにおいて、前記装置は、前記免許不要無線周波数スペクトル帯域を介して通信するために第２の無線アクセス技術を使用する、と、
前記第１の送信インジケータに基づいて、前記免許不要無線周波数スペクトル帯域で前記通信を送信したソースデバイスのソースデバイスタイプを決定するための手段と、
前記ソースデバイスタイプに基づいて前記免許不要無線周波数スペクトル帯域へのアクセスのために選択的に競争するためのまたは前記免許不要無線周波数スペクトル帯域を介して選択的に送信するための手段と、を備える、ワイヤレス通信のための装置。
［Ｃ３０］
前記ソースデバイスと関連された第１のネットワークオペレータが前記装置と関連された第２のネットワークオペレータと同じネットワークオペレータであるどうかを決定するための手段をさらに備え、
ここにおいて、前記ソースデバイスタイプに基づいて前記免許不要無線周波数スペクトル帯域へのアクセスのために選択的に競争するまたは前記免許不要無線周波数スペクトル帯域を介して選択的に送信するための前記手段は、
前記第１のネットワークオペレータが前記第２のネットワークオペレータと前記同じネットワークオペレータでないとの決定に少なくとも部分的に基づいて前記免許不要無線周波数スペクトル帯域へのアクセスのためにまたは前記免許不要無線周波数スペクトル帯域を介して送信するためにある量の時間の間待機するための手段、または、
前記第１のネットワークオペレータが前記第２のネットワークオペレータと前記同じネットワークオペレータであるとの前記決定に少なくとも部分的に基づいて、前記量の時間の間待機することなしに、前記免許不要無線周波数スペクトル帯域へのアクセスのために競争するためのまたは前記免許不要無線周波数スペクトル帯域を介して送信するための手段、を備える、
Ｃ２９に記載の装置。